(57)【要約】【課題】遊技盤上に取り付ける入賞口等の遊技装置を高い精度で、且つ容易に変更可能に取り付けることができ、所期の仕様性能を確実に発揮することのできる使い勝手の良い遊技機における遊技球の誘導装置を提供する。【解決手段】誘導路５２，５２の放出口５３，５３から放出された遊技球は、誘導部材５０にて、第１ステージ６０上を規則的に左右に往復運動しながら転動する速度を弱めていき、切欠６１と奥壁５６の誘導溝５５とで形成する第１スロープ６４の円状空間から第３ステージ８０に移動した遊技球は、中央凹面部８１を通り始動入賞口１１に向かって落下する。始動入賞口１１は、嵌合凸部７７と嵌合凹部３６とにより位置規制されて、中央凹面部８１に対し精度良く遊技盤２１に容易且つ変更可能に取り付けられており、中央凹面部８１から遊技盤２１上に落下した遊技球は高い確率にて始動入賞口１１に入賞する。【選択図】  図３
2004329556.tif 000002
【特許請求の範囲】
【請求項１】
遊技盤を落下する遊技球を導入する導入口と、
該導入口から導入された遊技球を所定方向へ誘導する誘導路と、
該誘導路により誘導された遊技球を放出する放出口と、
該放出口から放出された遊技球を受入れ、該受入れた遊技球を滞留可能であると共に下方へ誘導可能なステージが設けられた誘導部材と、
を備えた遊技機における遊技球の誘導装置であって、
上記誘導部材は、上記遊技盤に対し、上記ステージ外部に落下した遊技球が流入可能な遊技装置の取り付け位置を規制する位置規制手段を備えたことを特徴とする遊技機における遊技球の誘導装置。
【請求項２】
上記位置規制手段は、上記誘導部材の下部に所定の形状にて形成され、上記遊技装置のベース板の所定箇所と嵌合することにより、上記遊技盤に対し、上記遊技装置の取り付け位置を規制するようにしたことを特徴とする請求項１に記載の遊技機における遊技球の誘導装置。
【請求項３】
上記位置規制手段は、上記遊技盤に対し上記遊技装置の取り付け位置を規制すると共に、上記遊技装置を上記遊技盤に取り付けることができる位置規制取付手段を備えていることを特徴とする請求項１または請求項２に記載の遊技機における遊技球の誘導装置。
【請求項４】
上記ステージは、受入れた遊技球を該ステージ外部に落下させて上記遊技装置へ誘導する誘導通路を備え、
上記遊技装置は、上記位置規制手段により、該誘導通路に対応する位置に規制されて上記遊技盤に取り付けられていることを特徴とする請求項１乃至請求項３の何れかに記載の遊技機における遊技球の誘導装置。
【請求項５】
上記遊技機は、始動入賞口と、該始動入賞口への遊技球の入賞に基づいて所定の図柄を変動表示し、該変動表示している図柄を所定時間後に停止させて確定表示する図柄表示装置と、該図柄表示装置が確定表示した図柄が所定の大当り図柄である場合には、遊技者にとって有利な大当り遊技を実行する遊技制御手段とを備え、
上記遊技装置を上記始動入賞口としたことを特徴とする請求項４に記載の遊技機における遊技球の誘導装置。
【請求項６】
上記誘導通路は、少なくとも遊技球１個が転動可能な断面略凹面状に形成された凹面部を備え、
上記始動入賞口は、上記位置規制手段により、上記誘導部材に対し、該凹面部の左右方向の中央と、該始動入賞口の左右方向の中央とが垂直線上に存在する位置に規制されて上記遊技盤に取り付けられていることを特徴とする請求項５に記載の遊技機における遊技球の誘導装置。
【請求項７】
上記誘導通路は、上記凹面部の左右両側に隣接して設けられると共に、断面略凹面状に形成され少なくとも遊技球１個が転動可能な側凹面部をさらに備えたことを特徴とする請求項６に記載の遊技機における遊技球の誘導装置。
【請求項８】
上記側凹面部は、側方向から流入してくる遊技球を上記凹面部に導出し易くする遊技球導出手段を備えたことを特徴とする請求項７に記載の遊技機における遊技球の誘導装置。
【請求項９】
上記誘導部材は、上記遊技盤の表面に重合するように上記ステージの下部前端から下方に向かって延びる薄板状の下壁を備え、
上記位置規制手段は、該下壁に設けられると共に、該下壁における上記始動入賞口の上方の所定箇所には、障害釘を上記遊技盤に植設するための開口部を穿設したことを特徴とする請求項５乃至請求項８の何れかに記載の遊技機における遊技球の誘導装置。
【請求項１０】
上記誘導部材は、上記遊技盤の表面に重合するように上記ステージの下部前端から下方に向かって延びる薄板状の下壁を備え、
上記位置規制手段は、該下壁の下端から上方へ延びる切欠部として形成され、
該切欠部は、上記始動入賞口の上方に位置する障害釘を上記遊技盤に植設可能な障害釘植設領域を備えていることを特徴とする請求項５乃至請求項８の何れかに記載の遊技機における遊技球の誘導装置。
【請求項１１】
上記図柄表示装置は上記遊技盤の略中央に配設され、上記導入口、上記誘導路、上記放出口及び上記誘導部材は、該図柄表示装置を周回するように垂直線に対し対称に設けられると共に、該図柄表示装置に一体的に設けられたことを特徴とする請求項５乃至請求項１０の何れかに記載の遊技機における遊技球の誘導装置。
【請求項１２】
上記ステージは、長手方向の所定部位に稜線を有する勾配が形成され、上記放出口から放出された遊技球を受入れ、該受入れた遊技球を、滞留可能であると共に下方へ誘導可能な第１ステージと、
該第１ステージより奥行方向の手前側下方に設けられ、該第１ステージから誘導された遊技球を受入れ、該受入れた遊技球を、滞留可能にすると共に上記ステージ外部へ落下可能な第２ステージと、
上記第１ステージの下方且つ上記第２ステージの奥行方向の奥側に該第２ステージと隣接して設けられ、上記第１ステージから誘導された遊技球を奥行方向の奥側から受入れ、該受入れた遊技球を上記誘導通路に流入させると共に上記第２ステージへ流下可能な第３ステージと、
を備えたことを特徴とする請求項４乃至請求項１１の何れかに記載の遊技機における遊技球の誘導装置。
【請求項１３】
上記ステージの所定位置には、流入してきた遊技球の該ステージ外部への落下を阻止する落下阻止手段を備え、
上記所定位置は、遊技者にとって不利にならない位置としたことを特徴とする請求項１乃至請求項１２の何れかに記載の遊技機における遊技球の誘導装置。
【請求項１４】
遊技盤を落下する遊技球を導入する導入口と、
該導入口から導入された遊技球を所定方向へ誘導する誘導路と、
該誘導路により誘導された遊技球を放出する放出口と、
該放出口から放出された遊技球を受入れ、該受入れた遊技球を滞留可能であると共に下方へ誘導可能なステージが設けられた誘導部材と、
を備えた遊技機における遊技球の誘導装置であって、
上記誘導部材の下方には、上記ステージ外部に落下した遊技球が流入可能な遊技装置が設けられ、
上記ステージの所定位置には、流入してきた遊技球の該ステージ外部への落下を阻止する落下阻止手段を備え、
上記所定位置は、遊技者にとって不利にならない位置としたことを特徴とする遊技機における遊技球の誘導装置。
【請求項１５】
上記落下阻止手段は、上記ステージの前端に設けられ、該ステージから上方に延びる弾性部材で形成された突出部材であり、流入してきた遊技球を衝突させることで該ステージ外部への遊技球の落下を阻止すること、
を特徴とする請求項１４に記載の遊技機における遊技球の誘導装置。
【請求項１６】
上記突出部材は、左右方向に上記ステージに沿ってスライド自在に設けられていることを特徴とする請求項１５に記載の遊技機における遊技球の誘導装置。
【発明の詳細な説明】
【０００１】
【発明の属する技術分野】
本発明は、遊技球の誘導装置に関し、さらに詳しくは、弾球遊技機等の遊技盤に設けられ、該遊技盤に向けて弾発された遊技球を所望の位置へ誘導する遊技機における遊技球の誘導装置に関する。
【０００２】
【従来の技術】
従来より、遊技球の誘導装置は、例えば図３７に示すように、パチンコ遊技機の遊技盤の略中央に配設される図柄表示装置２００に設けられるものがよく知られており、これらの遊技球の誘導装置は、図柄表示部２０７を周回するように設けられた導入口２０２、誘導路２０３、放出口２０４、ステージ２０５を備えている。発射装置から遊技盤上に発射された遊技球が、遊技釘等にあたりながら不規則的な軌道を描いて落下する過程で導入口２０２に入球すると、該入球した遊技球は、誘導路２０３を落下して放出口２０４よりステージ２０５に放出されるようになっている。
【０００３】
ステージ２０５に放出された遊技球は、ステージ２０５上を不規則的に移動しながら最終的にはステージ２０５の奥行方向の手前側（遊技者側）から落下して、再び遊技盤上を転動することになるが、このステージ２０５から落下する遊技球のうち、ステージ２０５の中央部に設けられた始動入賞口誘導路２０６から落下する遊技球は、該始動入賞口誘導路２０６の直下に設けられた始動入賞口（電動チューリップ）２０８に誘導されるようになっており、即ち始動入賞口誘導路２０６から落下する遊技球は、高い確率にて始動入賞口２０８に入賞するようになっている。一方、始動入賞口誘導路２０６以外のステージ２０５から落下する遊技球は、始動入賞口２０８に誘導されることはなく、従って始動入賞口２０８に入賞することはない。
【０００４】
なお、遊技球が始動入賞口２０８に入賞すると、図柄表示部２０７にて所定の図柄が変動表示後に停止して確定表示されるようになっており、この確定表示され図柄が予め定められた大当り図柄であった場合には、遊技者にとって極めて有利な大当り遊技が開始されるようになっている。従って、遊技者は、始動入賞口２０８に、いかに多くの遊技球を入賞させるかが遊技の最大の関心事となっている。
【０００５】
しかしながら、上記従来技術においては、ステージ２０５上を移動する遊技球の挙動が単純であり、遊技者にとってはもの足りないものとなっていた。そこで、このような問題点を解消し、遊技者がより遊技を楽しめることを目的として、例えば、上段ステージと下段ステージという複数のステージを設け、遊技球を上段ステージから下段ステージ、下段ステージから遊技盤へと順次落下させることで、遊技球がステージから遊技盤へ落下されるまでの時間に溜めを作ると共に、遊技球の挙動に不規則性を持たせるという技術（以下、従来技術１という）が開示されている（例えば、特許文献１及び特許文献２参照）。
【０００６】
【特許文献１】
特開２００２−２２４３１７号公報
【特許文献２】
特開２００２−２２４３１８号公報
【０００７】
【発明が解決しようとする課題】
しかしながら、上記従来技術１を含む従来の遊技球の誘導装置においては、未だ解決されない次のような問題点がある。即ち、従来より遊技球の誘導装置においては、上記したように、図３７においてステージ２０５の中央部に設けられた始動入賞口誘導路２０６から落下する遊技球を、高い確率にて始動入賞口２０８に入賞するように誘導するため、当該誘導装置とは個別に形成された始動入賞口２０８を、始動入賞口誘導路２０６に対応して精度良く遊技盤上に取り付けなければならないという問題点がある。
【０００８】
この始動入賞口２０８を遊技盤上に取り付ける作業は、予め遊技盤につけた目印（例えばポンチ穴）を基準にビス等で人手を介して行われるので、精度上どうしてもバラツキが発生する。しかして、この始動入賞口２０８の取り付け精度が良くないと、始動入賞口誘導路２０６から落下する遊技球の始動入賞口２０８への入賞確率は、所期の設計値から逸脱して低下することになる。遊技球の始動入賞口２０８への入賞は、上記したように、遊技者にとって遊技の最大の関心事となっているので、この遊技球の始動入賞口２０８への入賞確率が低下すると、遊技機の遊技性が著しく低下してしまい、その結果遊技機の稼働率が悪化し、営業上深刻な問題となる。
【０００９】
また、従来技術１においては、上段ステージ及び下段ステージは、略平面状に形成されているので、各ステージ上を移動する遊技球の挙動に躍動感がなく、さらに、上段ステージから下段ステージへの遊技球の移動は、落下に限定されているので、遊技球の移動が単調となり、従い遊技者は、遊技性に今一もの足りなさを感じるという問題点がある。
【００１０】
また従来技術１においては、下段ステージに設けられた始動入賞口誘導路へ遊技球を入球させる確率を任意に変更する手段がなく、例えばホールは、新装開店の際に特別にステージから始動入賞口への遊技球の入賞確率を高くしたいと所望しても、それに対応することができず、さらに例えば、パチンコ遊技機は、入賞口等への入賞確率を変更するため、ホールの所望する角度によって遊技島に立設されるので、つまりホールの所望によって、垂直に立設されたり、わずかに寝かして（例えば２分〜４分５厘または０．５度〜１度）立設されたりするので、このようなパチンコ遊技機の立設条件の変更に対して従来技術１は何ら対処することができず、即ち遊技球の転動や移動等の挙動は、極めて微妙であり、従いパチンコ遊技機の立設される角度に極めて大きな影響を受けるのであるが、従来技術１においてはこれに対処する術がなく、その結果、例えばホールが所望するステージから始動入賞口への遊技球の入賞確率が想定外になり、ホールにとって不利益が発生する等、これらの点から使い勝手がよくないという問題点もある。
【００１１】
本発明は、上記した問題点の少なくとも１つを解決するためになされたもので、その第１の目的は、遊技盤上に取り付ける入賞口等の遊技装置を高い精度で、且つ容易に変更可能に取り付けることができ、所期の仕様性能を確実に発揮することのできる使い勝手の良い遊技機における遊技球の誘導装置を提供することにある。
【００１２】
また、本発明の第２の目的は、ステージにおける遊技球の挙動を躍動感をもたせつつ多種多様にすることで、遊技の趣向を増大させることのできる遊技機における遊技球の誘導装置を提供することにある。
また、本発明の第３の目的は、ステージから遊技盤に落下する遊技球の入賞確率を任意に変更することができ、例え遊技機の立設される角度が変更されても所期の仕様性能を維持することができる使い勝手の良い遊技球の誘導装置を提供することにある。
【００１３】
【課題を解決するための手段及び発明の効果】
このような問題を解決するために、本発明の遊技機における遊技球の誘導装置は、請求項１に記載したように、遊技盤を落下する遊技球を導入する導入口と、該導入口から導入された遊技球を所定方向へ誘導する誘導路と、該誘導路により誘導された遊技球を放出する放出口と、該放出口から放出された遊技球を受入れ、該受入れた遊技球を滞留可能であると共に下方へ誘導可能なステージが設けられた誘導部材と、を備えた遊技機における遊技球の誘導装置であって、上記誘導部材は、上記遊技盤に対し、上記ステージ外部に落下した遊技球が流入可能な遊技装置の取り付け位置を規制する位置規制手段を備えたことを特徴とする。
【００１４】
請求項１の発明は、例えば、パチンコ遊技機の遊技盤上に形成される遊技領域を障害釘や風車等に当りながら落下する遊技球が導入口に入球すると、この遊技球は導入口から誘導路へと移動し、さらに誘導路から所定方向へ誘導され、最終的に放出口から誘導部材へと放出される。そして、誘導部材に放出された遊技球は、ステージ上を例えば左右に移動しながら不特定時間滞留した後、ステージ外部に落下し、そのうちの一部の遊技球は、遊技装置に流入することになる。
【００１５】
しかして、誘導部材には、遊技盤に対し、このステージ外部に落下した遊技球を流入可能な遊技装置の取り付け位置を規制する位置規制手段を備えており、従って、この位置規制手段により、遊技装置は、所定の位置に位置規制されて高い精度で遊技盤に取り付けられることになる。
【００１６】
ここで、遊技装置としては、例えば、遊技機がパチンコ遊技機である場合には、始動入賞口や作動ゲート、または、いわゆる役物と呼ばれる入賞装置や風車等の振り分け装置若しくは停留装置等が挙げられる。また、遊技装置を遊技盤に取り付けるには、遊技装置を構成する所定部材をビスで遊技盤に螺着すること等が挙げられる。
【００１７】
従って、以上のような構成による請求項１の発明によれば、誘導部材は、遊技装置の取り付け位置を規制する位置規制手段を備えているので、遊技装置を極めて容易に且つ高い精度で遊技盤に取り付けることが可能となる。また、この遊技装置の遊技盤の取り付け位置は、誘導部材に対して高い精度が求められるものであり、即ち、誘導部材に設けられたステージから外部に落下する遊技球のうち、一部の遊技球を所期の設計どおり遊技装置に流入させることが重要であり、従い、本発明によれば、誘導部材が遊技装置の取り付け位置を規制する位置規制手段を備えているので、両者の相対位置を極めて精度良く形成することが可能となり、誘導部材に設けられたステージから外部に落下する遊技球のうち、一部の遊技球を所期の設計どおり遊技装置に流入させることができ、即ち誘導装置の所期の仕様性能を確実に発揮することができ、その結果、ホールにとって使い勝手の良い誘導装置を提供することができるという極めて顕著な効果を奏する。
【００１８】
また、請求項２に記載の発明は、請求項１に記載の遊技機における遊技球の誘導装置おいて、上記位置規制手段は、上記誘導部材の下部に所定の形状にて形成され、上記遊技装置のベース板の所定箇所と嵌合することにより、上記遊技盤に対し、上記遊技装置の取り付け位置を規制するようにしたことを特徴とする。
【００１９】
請求項２の発明は、請求項１の発明において、位置規制手段は、誘導部材の下部に、遊技装置のベース板の所定箇所と嵌合するように所定の形状にて形成されており、これにより遊技盤に対する遊技装置の取り付け位置を規制する。
ここでベース板とは、遊技装置の本体や駆動装置等を支持して遊技盤に遊技装置を取り付けるための平板であり、例えば、ベース板の上部の形状が方形状に形成されている場合には、誘導部材の下部に、位置規制手段として該方形状に形成されたベース板の上部と嵌合する形状の切欠等を形成するようにすれば良い。このようにすれば、位置規制手段としての誘導部材の下部に形成した切欠等にベース板の上部を嵌合するだけで、遊技装置の遊技盤に対する取り付け位置が規制されることになる。さらに、遊技装置において、ベース板の形状、即ち誘導部材に嵌合するベース板の所定箇所の形状のみを共通化することで、様々な形状や仕様の遊技装置を選択することができるようになる。
【００２０】
従って、以上のような構成による請求項２の発明によれば、請求項１の発明の効果に加え、遊技装置のベース板の所定箇所を誘導部材に嵌合するという極めて容易な操作だけで、遊技装置を、遊技盤に対し位置規制することができ、その結果、遊技装置を、遊技盤に対し高い精度で取り付けることが可能となる。また、ベース板の所定箇所の形状のみを共通化することで、様々な形状や仕様の遊技装置を選択することができ、遊技機を設計する上で、その自由度が向上すると共に、例え遊技盤に遊技装置を取り付けた後でも、容易に他の遊技装置に変更することが可能となり、その結果、ホールにとってさらに使い勝手の良い誘導装置を提供することができる。
【００２１】
また、請求項３に記載の発明は、請求項１または請求項２に記載の遊技機における遊技球の誘導装置おいて、上記位置規制手段は、上記遊技盤に対し上記遊技装置の取り付け位置を規制すると共に、上記遊技装置を上記遊技盤に取り付けることができる位置規制取付手段を備えていることを特徴とする。
【００２２】
請求項３の発明は、請求項１または請求項２の発明において、位置規制手段は位置規制取付手段を備えており、この位置規制取付手段が、遊技盤に対し遊技装置の取り付け位置を規制すると共に、遊技装置を遊技盤に取り付ける。
この位置規制取付手段は、遊技盤に対し遊技装置の取り付け位置を規制する位置規制手段の機能と、遊技装置を遊技盤に取り付ける取付手段の機能という、両者の機能を備えたものであり、例えば、上記したように、位置規制手段として遊技装置を誘導部材に嵌合することで遊技盤に対して遊技装置の取り付け位置を規制する場合、遊技装置を誘導部材に嵌合すると同時に嵌着することで、遊技盤に対し遊技装置を位置規制すると同時に取り付けること等が挙げられる。
【００２３】
従って、以上のような構成による請求項３の発明によれば、請求項１または請求項２の発明の効果に加え、誘導部材は位置規制取付手段を備えているので、遊技盤に対し遊技装置を位置規制すると共に取り付けることができ、その結果、遊技装置を高い精度で極めて容易に遊技盤に取り付けることが可能となり、ホールにとって極めて使い勝手の良い誘導装置を提供することができる。
【００２４】
また、請求項４に記載の発明は、請求項１乃至請求項３の何れかに記載の遊技機における遊技球の誘導装置おいて、上記ステージは、受入れた遊技球を該ステージ外部に落下させて上記遊技装置へ誘導する誘導通路を備え、上記遊技装置は、上記位置規制手段により、該誘導通路に対応する位置に規制されて上記遊技盤に取り付けられていることを特徴とする。
【００２５】
請求項４の発明は、請求項１乃至請求項３の何れかの発明において、誘導部材に設けられたステージは、誘導通路を備えており、この誘導通路は、ステージに受け入れた遊技球を、遊技装置へ誘導するようステージの外部に落下させるようになっている。また、遊技装置は、位置規制手段により位置規制され、この誘導通路に対応して遊技盤に取り付けられている。
【００２６】
従って、以上のような構成による請求項４の発明によれば、請求項１乃至請求項３の何れかの発明の効果に加え、位置規制手段により遊技装置へ誘導する誘導通路に対応する位置に規制されて遊技装置が遊技盤に取り付けられているので、誘導通路と遊技装置との相対位置を極めて精度良く形成することが可能となる。その結果、誘導部材に設けられたステージから外部に落下する遊技球のうち、誘導通路を通って落下した遊技球を所期の設計どおり遊技装置に流入させることができるという顕著な効果を奏する。
【００２７】
また、請求項５に記載の発明は、請求項４に記載の遊技機における遊技球の誘導装置おいて、上記遊技機は、始動入賞口と、該始動入賞口への遊技球の入賞に基づいて所定の図柄を変動表示し、該変動表示している図柄を所定時間後に停止させて確定表示する図柄表示装置と、該図柄表示装置が確定表示した図柄が所定の大当り図柄である場合には、遊技者にとって有利な大当り遊技を実行する遊技制御手段とを備え、上記遊技装置を上記始動入賞口としたことを特徴とする。
【００２８】
請求項５の発明は、請求項４の発明において、遊技機は、始動入賞口と図柄表示装置と遊技制御手段とを備えており、さらに位置規制手段により位置規制されて遊技盤に取り付けられる遊技装置を始動入賞口としている。この始動入賞口は、遊技球が入賞すると図柄表示装置に所定の図柄を変動表示させ所定時間後に停止させて確定表示させる。そして、図柄表示装置が確定表示した図柄が所定の大当り図柄である場合には、遊技制御手段が、遊技者にとって有利な大当り遊技を実行する。
【００２９】
従って、以上のような構成による請求項５の発明によれば、請求項４の発明の効果に加え、位置規制手段により始動入賞口へ誘導する誘導通路に対応して始動入賞口が遊技盤に取り付けられているので、誘導通路と始動入賞口との相対位置を極めて精度良く形成することが可能となり、誘導部材に設けられたステージから外部に落下する遊技球のうち、誘導通路を通って落下した遊技球を所期の設計どおり始動入賞口に流入させることができる。しかして、始動入賞口への遊技球の入賞は、遊技者にとって有利な大当り遊技が発生するための必要条件となっているので、遊技を行う上で極めて重要な事項であり、その結果、ホールにとって極めて使い勝手の良い誘導装置を提供することができるという極めて顕著な効果を奏する。
【００３０】
また、請求項６に記載の発明は、請求項５に記載の遊技機における遊技球の誘導装置おいて、上記誘導通路は、少なくとも遊技球１個が転動可能な断面略凹面状に形成された凹面部を備え、上記始動入賞口は、上記位置規制手段により、上記誘導部材に対し、該凹面部の左右方向の中央と、該始動入賞口の左右方向の中央とが垂直線上に存在する位置に規制されて上記遊技盤に取り付けられていることを特徴とする。
【００３１】
請求項６の発明は、請求項５の発明において、誘導通路は凹面部を備えており、この凹面部は少なくとも遊技球１個が転動可能な断面略凹面状に形成され、始動入賞口は、位置規制手段により、この凹面部の左右方向の中央と自身の左右方向の中央とが垂直線上に存在する位置に規制されて、遊技盤に取り付けられている。
【００３２】
従って、以上のような構成による請求項６の発明によれば、請求項５の発明の効果に加え、位置規制手段により、始動入賞口が、誘導通路の凹面部左右方向の中央と自身の左右方向の中央とが垂直線上に存在する位置に規制されて、遊技盤に取り付けられているので、誘導部材に設けられたステージから外部に落下する遊技球のうち、誘導通路の凹面部を通って落下した遊技球を高い確率にて始動入賞口に入賞させることが可能となる。始動入賞口への遊技球の入賞は、遊技者にとって大当りを獲得するための重要な条件であり、従い、遊技者は、凹面部に遊技球が流入した場合には、極めて大きな期待を持つことができ、その結果、遊技の趣向が増大し、遊技性が向上する。つまり、ホールが所望する誘導装置から始動入賞口への遊技球の入賞確率を想定通り確実に実行することができるという極めて顕著な効果を奏する。
【００３３】
また、請求項７に記載の発明は、請求項６に記載の遊技機における遊技球の誘導装置おいて、上記誘導通路は、上記凹面部の左右両側に隣接して設けられると共に、断面略凹面状に形成され少なくとも遊技球１個が転動可能な側凹面部をさらに備えたことを特徴とする。
【００３４】
請求項７の発明は、請求項６の発明において、誘導通路は、凹面部の左右両側に隣接して側凹面部をさらに備えており、この側凹面部は、断面略凹面状に形成され少なくとも遊技球１個が転動可能になっている。
従って、以上のような構成による請求項７の発明によれば、請求項６の発明の効果に加え、ステージに導出された遊技球が誘導通路に流入する場合において、遊技球が凹面部に流入したときには、側凹面部に流入したときよりも高い確率にて始動入賞口に入賞するようになるので、遊技者は、ステージに導出された遊技球が凹面部に流入するか否かを期待しながら注意深く見守ることになり、その結果、さらに遊技の趣向が増大し、遊技性が向上するという顕著な効果を奏する。
【００３５】
また、請求項８に記載の発明は、請求項７に記載の遊技機における遊技球の誘導装置おいて、上記側凹面部は、側方向から流入してくる遊技球を上記凹面部に導出し易くする遊技球導出手段を備えたことを特徴とする。
請求項８の発明は、請求項７の発明において、側凹面部は遊技球導出手段を備えており、この遊技球導出手段が、側方向から流入してくる遊技球を凹面部に導出し易くするようになっている。なお、遊技球導出手段の具体例としては、側凹面部の断面となる凹面を二つの連続するアール面にて形成し、この二つのアール面のうち中央寄り（凹面部寄り）のアール面のアールを、他のアール面のアールよりも小さく形成するような手段が挙げられる。このように側凹面部を形成すると、側凹面部に側方向から流入した遊技球を、大きく形成されたアール面を転動させることによりその流れを付勢して小さく形成されたアール面へと流出させ、さらにその流れの勢いにより小さく形成されたアール面を一気に駆け上がらせて凹面部に導出させることが可能となる。
【００３６】
従って、以上のような構成による請求項８の発明によれば、請求項７の発明の効果に加え、ステージに導出された遊技球が側方向から誘導通路に流入する場合において、側凹面部に備えられた遊技球導出手段により、側凹面部から凹面部へ遊技球を導出し易くなっているので、遊技者は、たとえステージに導出された遊技球が側方向から側凹面部に流入しても、さらに側凹面部から凹面部に遊技球が導出されること、即ち、遊技球が高い確率にて始動入賞口に入賞することが期待できるので、その結果、さらに遊技の趣向が増大し、遊技性が向上するという顕著な効果を奏する。
【００３７】
また、請求項９に記載の発明は、請求項５乃至請求項８の何れかに記載の遊技機における遊技球の誘導装置おいて、上記誘導部材は、上記遊技盤の表面に重合するように上記ステージの下部前端から下方に向かって延びる薄板状の下壁を備え、上記位置規制手段は、該下壁に設けられると共に、該下壁における上記始動入賞口の上方の所定箇所には、障害釘を上記遊技盤に植設するための開口部を穿設したことを特徴とする。
【００３８】
請求項９の発明は、請求項５乃至請求項８の何れかの発明において、誘導部材は下壁を備えており、この下壁は、遊技盤の表面に重合するようにステージの下部前端から下方に向かって延びる薄板状に形成されている。そして、この下壁には、位置規制手段が設けられていると共に、この下壁の始動入賞口の上方の所定箇所には開口部が穿設されており、この開口部により障害釘を遊技盤に植設できるようになっている。例えば、請求項６に係わり、凹面部に流入しなかった遊技球がステージ外部に落下したとき、あるいは請求項７に係わり、側凹面部に流入した遊技球がステージ外部に落下したとき、これら落下してきた遊技球が障害釘に衝突することにより、その落下する角度を変えて始動入賞口に入賞するチャンスが与えられる。なお、この開口部の大きさ及び開口部を穿設する下壁の所定箇所は、特に限定するものではないが、少なくとも障害釘を複数遊技盤に植設できると共に、この複数の障害釘の間を遊技球が通過できるような大きさで、且つこの複数の障害釘の間を通過した遊技球が始動入賞口に入賞できる箇所に形成することが望ましい。
【００３９】
従って、以上のような構成による請求項９の発明によれば、請求項５乃至請求項８の何れかの発明の効果に加え、誘導部材の備えている下壁を、遊技盤の表面に重合することで、下壁に設けられた位置規制手段により、始動入賞口を位置規制して、極めて容易に遊技盤に取り付けることが可能となる。また、下壁に穿設された開口部により、始動入賞口の上方に障害釘を設けることが可能になるので、遊技性が向上すると共に、遊技盤におけるゲージ構成の自由度が向上し、その結果、遊技機の設計が容易となる。さらに、遊技盤に対する障害釘の突出角度を調整することにより、遊技球の始動入賞口への入賞確率を任意に変更することができるようになり、その結果、ホールにとって極めて使い勝手の良い誘導装置を提供することができるという極めて顕著な効果を奏する。
【００４０】
なお、この請求項９に係わる開口部を、上記したような下壁に穿設する構成に変えて、次のようにしても良い。即ち請求項１０に記載の発明は、請求項５乃至請求項８の何れかに記載の遊技機における遊技球の誘導装置おいて、上記誘導部材は、上記遊技盤の表面に重合するように上記ステージの下部前端から下方に向かって延びる薄板状の下壁を備え、上記位置規制手段は、該下壁の下端から上方へ延びる切欠部として形成され、該切欠部は、上記始動入賞口の上方に位置する障害釘を上記遊技盤に植設可能な障害釘植設領域を備えていることを特徴とする。
【００４１】
請求項１０の発明は、請求項５乃至請求項８の何れかの発明において、請求項９の発明と同様に、誘導部材は下壁を備えており、この下壁は、遊技盤の表面に重合するようにステージの下部前端から下方に向かって延びる薄板状に形成されている。そして、この下壁には、位置規制手段としての切欠部が設けられており、この切欠部は、下壁の下端から上方へ延びるように形成されていると共に、障害釘植設領域を備えており、この障害釘植設領域により始動入賞口の上方に位置する障害釘を遊技盤に植設できるようになっている。つまり、この下壁の下部に形成される切欠部は、請求項９の発明に係わる位置規制手段と開口部とを兼ねた構成となっている。
【００４２】
従って、以上のような構成による請求項１０の発明によれば、請求項５乃至請求項８の何れかの発明の効果に加え、下壁の下部に切欠部を設けるだけで位置規制手段と障害釘植設領域とを備えた下壁を形成することができ、その結果、誘導部材を容易に設計することが可能となり、誘導装置を開発する上でコストダウンになる。また、障害釘植設領域は、下壁の下部に切り欠かれて設けられているので、障害釘をあまり気にすることなく誘導部材を遊技盤に装着することが可能となり、その結果、誘導部材を遊技盤に装着するときの作業性が向上する。特に、誘導装置が図柄表示装置等に一体的に設けられている場合には、図柄表示装置自体が大きくなり、このような図柄表示装置を遊技盤に装着するには、例えば位置合わせ等の作業がややもすると煩雑になってしまうのであるが、この切欠部を採用することで、そのような不測の事態を招くことなく防止することができるという顕著な効果を奏する。さらに、このような構成による請求項１０の発明によれば、上記した請求項９の発明と同等の作用効果も奏することになる。
【００４３】
また、請求項１１に記載の発明は、請求項５乃至請求項１０の何れかに記載の遊技機における遊技球の誘導装置おいて、上記図柄表示装置は上記遊技盤の略中央に配設され、上記導入口、上記誘導路、上記放出口及び上記誘導部材は、該図柄表示装置を周回するように垂直線に対し対称に設けられると共に、該図柄表示装置に一体的に設けられたことを特徴とする。
【００４４】
請求項１１の発明は、請求項５乃至請求項１０の何れかの発明において、本発明にかかる誘導装置を構成する導入口、誘導路、放出口及び誘導部材は、遊技盤の略中央に配設される図柄表示装置に一体的に設けられ、さらに、この図柄表示装置を周回するように垂直線に対し対称に設けられている。
【００４５】
従って、以上のような構成による請求項１１の発明によれば、請求項５乃至請求項１０の何れかの発明の効果に加え、誘導装置は、図柄表示装置との一体構成及び対称形状を採用することにより、その設計が容易になると共にその美観が高められ、且つ誘導装置を転動する遊技球の流れを流麗にすることができ、その結果、誘導装置を開発する上でコストダウンになると共に、遊技者の遊技意欲をそそることができるという顕著な効果を奏する。
【００４６】
また、請求項１２に記載の発明は、請求項４乃至請求項１１の何れかに記載の遊技機における遊技球の誘導装置おいて、上記ステージは、長手方向の所定部位に稜線を有する勾配が形成され、上記放出口から放出された遊技球を受入れ、該受入れた遊技球を、滞留可能であると共に下方へ誘導可能な第１ステージと、該第１ステージより奥行方向の手前側下方に設けられ、該第１ステージから誘導された遊技球を受入れ、該受入れた遊技球を、滞留可能にすると共に上記ステージ外部へ落下可能な第２ステージと、上記第１ステージの下方且つ上記第２ステージの奥行方向の奥側に該第２ステージと隣接して設けられ、上記第１ステージから誘導された遊技球を奥行方向の奥側から受入れ、該受入れた遊技球を上記誘導通路に流入させると共に上記第２ステージへ流下可能な第３ステージと、を備えたことを特徴とする。
【００４７】
請求項１２の発明は、請求項４乃至請求項１１の何れかの発明において、誘導部材に設けられるステージを第１ステージと第２ステージと第３ステージとで構成し、まず、放出口から誘導部材に放出された遊技球は、長手方向の所定部位に稜線を有する勾配が形成された第１ステージ上を左右に移動しながら不特定時間滞留する。ここで、稜線とは、所定のアールにて形成される曲線が複数連続する線、つまり山の峰から峰へ続くような線は勿論のこと、所定の単一なアールにて形成される曲線、つまり円弧も含むものとする。
【００４８】
そして、第１ステージ上に滞留している遊技球は、下方へ誘導されて第２ステージあるいは第３ステージに流入する。ここで第２ステージは、第１ステージより奥行方向の手前側下方に設けられており、第３ステージは、第１ステージの下方、且つ第２ステージの奥行方向の奥側にこの第２ステージと隣接して設けられている。つまり、誘導部材におけるステージは、第３ステージの上方に第１ステージが形成され、さらに第３ステージの奥行方向の手前側に第２ステージが形成された２階建て構造になっている。
【００４９】
第２ステージに流入した遊技球は、ここで不特定時間滞留した後、ステージ外部に落下し、一方、第３ステージに、この第３ステージの奥行方向の奥側から流入した遊技球は誘導通路に流入し、位置規制手段により、誘導通路に対応する位置に規制されて遊技盤に取り付けられている遊技装置（始動入賞口）に向かって誘導されると共に第２ステージに流下する。
【００５０】
従って、以上のような構成による請求項１２の発明によれば、請求項４乃至請求項１１の何れかの発明の効果に加え、誘導路の放出口より放出され第１ステージに流入した遊技球は、第１ステージに形成された稜線を有する勾配により、その挙動に躍動感を与えられながら様々な態様にて下方に位置する第２ステージや第３ステージに導出されるので、遊技者は、遊技球の躍動感ある挙動を十分に楽しむことができ、また、第１ステージから第２ステージまたは第３ステージに流入した遊技球は、その流入するときの態様が多種多様なことに起因して第２ステージまたは第３ステージ上にて不規則的な挙動を示しつつ不特定時間滞留するので、遊技者は、遊技球の不規則的な挙動を十分に楽しむことができ、さらに、第３ステージの奥行方向の奥側から流入した遊技球は、第３ステージ上を幅広く移動することができ、遊技者は、第３ステージ上にて、さらに遊技球の挙動を十分に楽しむことができると共に、第３ステージに流入した遊技球が誘導通路に流入し、遊技装置（始動入賞口）に向かって誘導されて第２ステージからステージ外部に落下したときには、遊技者は、遊技が有利に展開するという予測や期待感を持つことができ、即ち、本発明によれば、遊技者は、遊技球の躍動感ある挙動と不規則的な挙動を十分に楽しみながら期待をもって遊技することが可能となり、その結果、遊技の趣向が増大し、遊技性が向上するという顕著な効果を奏する。
【００５１】
また、請求項１３に記載の発明は、請求項１乃至請求項１２の何れかに記載の遊技機における遊技球の誘導装置おいて、上記ステージの所定位置には、流入してきた遊技球の該ステージ外部への落下を阻止する落下阻止手段を備え、上記所定位置は、遊技者にとって不利にならない位置としたことを特徴とする。
【００５２】
請求項１３の発明は、請求項１乃至請求項１２の何れかの発明において、遊技者にとって不利にならないステージの所定位置には、落下阻止手段が備えられており、この落下阻止手段が、ステージ内に流入してきた遊技球の該ステージ外部への落下を阻止する。
【００５３】
ここで遊技者にとって不利にならないステージの所定位置とは、例えば、請求項４に係わり、誘導通路に流入しなかった遊技球がステージからステージ外部に落下するときの位置等である。つまりこれは、落下阻止手段が、位置規制手段により、誘導通路に対応する位置に規制されて遊技盤に取り付けられている遊技装置に向かって誘導されることなくステージからステージ外部に落下する遊技球を阻止することを意味している。即ち、これは、遊技者にとって不利にならないステージの所定位置に、落下阻止手段が備えられていることになる。
【００５４】
従って、以上のような構成による請求項１３の発明によれば、請求項１乃至請求項１２の何れかの発明の効果に加え、ステージ内に流入してきた遊技球がステージ外部に落下するとき、遊技者にとって不利にならないようにその遊技球の落下が阻止されるので、遊技者は、その阻止された遊技球のその後の挙動を大いなる期待を持って注視することができ、その結果、遊技の趣向が増大し、遊技性が向上するという顕著な効果を奏する。
【００５５】
なお、落下阻止手段は、上記した遊技者にとって不利にならないステージの所定位置に変えて、遊技者にとって有利となるステージの所定位置、即ちステージから落下阻止手段を介してステージ外部に落下すると、遊技装置に入球し易い位置に設けるようにしても良い。このようにすると、遊技者にとって、さらに遊技の趣向が増大し、遊技性が向上する。
【００５６】
また、請求項１４に記載の遊技機における遊技球の誘導装置は、遊技盤を落下する遊技球を導入する導入口と、該導入口から導入された遊技球を所定方向へ誘導する誘導路と、該誘導路により誘導された遊技球を放出する放出口と、該放出口から放出された遊技球を受入れ、該受入れた遊技球を滞留可能であると共に下方へ誘導可能なステージが設けられた誘導部材と、を備えた遊技機における遊技球の誘導装置であって、上記誘導部材の下方には、上記ステージ外部に落下した遊技球が流入可能な遊技装置が設けられ、上記ステージの所定位置には、流入してきた遊技球の該ステージ外部への落下を阻止する落下阻止手段を備え、上記所定位置は、遊技者にとって不利にならない位置としたことを特徴とする。
【００５７】
請求項１４の発明は、例えば、パチンコ遊技機の遊技盤上に形成される遊技領域を障害釘や風車等に当りながら落下する遊技球が導入口に入球すると、この遊技球は導入口から誘導路へと移動し、さらに誘導路から所定方向へ誘導され、最終的に放出口から誘導部材へと放出される。そして、誘導部材に放出された遊技球は、ステージ上を例えば左右に移動しながら不特定時間滞留し、その後、ステージ外部に落下し、その落下した遊技球の一部は、誘導部材の下方に設けられた始動入賞口等の遊技装置に入球する。
【００５８】
しかして、遊技者にとって不利にならないステージの所定位置には、落下阻止手段が備えられており、従って、この落下阻止手段が、ステージ内に流入してきた遊技球の該ステージ外部への落下を阻止する。ここで遊技者にとって不利にならないステージの所定位置とは、例えば、遊技球がステージからステージ外部に落下するとき、このまま落下すると始動入賞口等の遊技装置に入球するのが困難な位置等である。つまりこれは、落下阻止手段が、始動入賞口等の遊技装置に向かって誘導されることなくステージからステージ外部に落下する遊技球を阻止することを意味している。即ち、これは、遊技者にとって不利にならないステージの所定位置に、落下阻止手段が備えられていることになる。
【００５９】
従って、以上のような構成による請求項１４の発明によれば、誘導装置の誘導部材において、遊技者にとって不利にならないステージの所定位置に落下阻止手段を備えたので、ステージ内に流入してきた遊技球がステージ外部に落下するとき、遊技者にとって不利にならないようにその遊技球の落下が阻止されるので、遊技者は、その阻止された遊技球のその後の挙動を大いなる期待を持って注視することができ、その結果、遊技の趣向が増大し、遊技性が向上するという顕著な効果を奏する。
【００６０】
なお、落下阻止手段は、上記した遊技者にとって不利にならないステージの所定位置に変えて、遊技者にとって有利となるステージの所定位置、即ちステージから落下阻止手段を介してステージ外部に落下すると、遊技装置に入球し易い位置に設けるようにしても良い。このようにすると、遊技者にとって、さらに遊技の趣向が増大し、遊技性が向上する。
【００６１】
また、請求項１５に記載の発明は、請求項１４に記載の遊技機における遊技球の誘導装置おいて、上記落下阻止手段は、上記ステージの前端に設けられ、該ステージから上方に延びる弾性部材で形成された突出部材であり、流入してきた遊技球を衝突させることで該ステージ外部への遊技球の落下を阻止すること、を特徴とする。
【００６２】
請求項１５の発明は、請求項１４の発明において、落下阻止手段は、ステージから上方に延びる弾性部材で形成された突出部材として、ステージの前端位置に設けられており、これにより、ステージ内に流入してきた遊技球を衝突させることでステージ外部への遊技球の落下を阻止する。例えば、遊技球がステージからステージ外部に落下するとき、このまま落下すると始動入賞口等の遊技装置に入球するのが困難なとき、この遊技球が落下阻止手段により、ステージ外部に落下する直前のステージの前端位置にて、落下阻止手段に衝突することでステージ外部に落下するのが阻止される。そして、このステージ外部への落下が阻止された遊技球は、落下阻止手段が弾性部材で形成されていることにより流下してきた方向等へ跳ね返り、再び誘導部材に向かって移動して始動入賞口またはその他の遊技装置に入球するチャンスが再度与えられることになる。
【００６３】
従って、以上のような構成による請求項１５の発明によれば、請求項１４の発明の効果に加え、遊技者は、遊技球の挙動から目を離すことなく、誘導部材上を移動する遊技球に最後まで期待することができ、即ち、遊技者が、最後まで予測できない遊技を提供することができ、その結果、遊技の趣向が著しく増大し、遊技性が極めて向上するという顕著な効果を奏する。
【００６４】
また、請求項１６に記載の発明は、請求項１５に記載の遊技機における遊技球の誘導装置おいて、上記突出部材は、左右方向に上記ステージに沿ってスライド自在に設けられていることを特徴とする。
請求項１６の発明は、請求項１５の発明において、落下阻止手段としての突出部材は、ステージに沿って左右方向にスライド自在に設けられており、これにより突出部材は、自身を左右にスライドさせることで、任意に遊技球がステージ外部へ落下するステージの前端位置を特定することが可能になり、従って誘導装置からの遊技球の始動入賞口等への入賞確率を任意に変更することができるようになる。
【００６５】
例えば、ホールが、新装開店の際に特別に誘導装置から始動入賞口等への遊技球の入賞確率を高くしたいと所望したときには、それに即座に対応することが可能となり、また、遊技機は、入賞口等への入賞確率を変更するため、ホールの所望する角度によって遊技島に立設されるので、これが原因で誘導装置から始動入賞口への遊技球の入賞確率が想定外になったとしても、速やかに対応することが可能となる。つまり、遊技球の転動や移動等の挙動は、極めて微妙であり、従い遊技機の立設される角度に極めて大きな影響を受けるのであるが、このように誘導装置からの遊技球の始動入賞口等への入賞確率を任意に変更できるようにすることで、その影響を回避することができるようになる。
【００６６】
従って、以上のような構成による請求項１６の発明によれば、請求項１５の発明の効果に加え、落下阻止手段としての突出部材がステージに沿って左右方向にスライド自在に設けられているので、突出部材を調整することで、ステージから落下する遊技球の始動入賞口等への入賞確率を、任意に変更することができるようになり、従い、ホールにとって使い勝手が極めて良くなる。その結果、ホールが所望する誘導装置から始動入賞口等への遊技球の入賞確率が想定外になり、それによりホールにとって不利益が発生することを防止することができ、即ち例え遊技機の立設される角度が変更されても所期の仕様性能を維持することができる使い勝手の良い誘導装置を提供することがでるという極めて顕著な効果を奏する。
【００６７】
【発明の実施の形態】
以下に、本発明の実施の形態を図を用いて説明する。
図１は、遊技機１の全体正面図である。本実施形態の遊技機１は、図１に示すように、図示しない遊技島に固定される外枠２２と、この外枠２２に取り付けられた内枠２３とから構成されており、内枠２３には、遊技者にパチンコ遊技を提供する遊技盤２１と、遊技者が操作することにより図示しない打球発射装置を作動させる打球操作ハンドル２と、打球発射装置によって打ち出された遊技球を誘導する打球誘導レール３と、打ち出された遊技球が一定範囲内で飛球するよう設けられた遊技領域形成レール４と、打球誘導レール３及び遊技領域形成レール４によって囲われた遊技領域５と、遊技領域５に打ち出された遊技球を不測の方向へ変化を与える風車２０と、特別図柄が回転する様子を示す擬似的な表示（以下、スクロール表示ともいう）を行う液晶表示ディスプレイ（ＬＣＤ）等で構成された特別図柄表示装置６と、遊技球が入賞することによって特別図柄表示装置６に特別図柄の変動表示（スクロール表示）を開始させる始動入賞口（電動チューリップ）１１と、特別図柄表示装置６が特別図柄の変動表示中に遊技球が始動入賞口１１へ入賞した場合に、当該変動表示が終了した後に、あと何回変動表示するか（最高４回）を遊技者に報知するための保留記憶の点灯表示を順次行う４つの保留ＬＥＤ２５と、特別図柄表示装置６内において所定の図柄を表示する図柄表示部３０と、この図柄表示部３０において３つの特別図柄をそれぞれ個別に表示する左図柄表示部８、中図柄表示部９、右図柄表示部１０と、特別図柄表示装置６における表示結果が予め定められた態様（大当り）になった場合、遊技者に有利に開口される大入賞口（アタッカ）７と、遊技球を打球発射装置に供給するための打球供給皿１２と、打球供給皿１２に入りきらない球を貯留することができると共に、図示しない貯留球箱に遊技球を移動できるようになっている余剰球受皿１３と、入賞することによって賞球が払い出される普通入賞口１４と、入賞に対する賞球の払い出しや球詰まり、異常を報知する遊技効果ランプ１５と、遊技領域５の最下部に設けられた遊技球を回収するアウト口１６と、開閉自在に設けられたガラス扉枠１７と、一桁の普通図柄を表示し、その普通図柄が予め定められた普通図柄（当り）である場合、始動入賞口１１としての電動チューリップの羽根１１ａ，１１ａを開放する７セグメントＬＥＤ等で構成された普通図柄表示装置１８と、遊技球が通過することによって普通図柄表示装置１８に普通図柄の変動表示を開始させる普通図柄作動ゲート１９等によって構成されている。
【００６８】
この様に構成される遊技機１は、まず、遊技者の打球操作ハンドル２の操作により、打球発射装置から遊技球が発射され、打球誘導レール３と遊技領域形成レール４の間を通って遊技球が遊技盤２１上の遊技領域５に打ち出される。そして、遊技球は遊技領域５を自重により落下し、落下する過程においては、遊技盤２１に植設される図示しない遊技釘や風車２０によって落下する方向に変化を与えられ、始動入賞口１１や普通入賞口１４に入賞したり、普通図柄作動ゲート１９を通過したり、全ての入賞口に入賞しなかった場合には、アウト口１６に回収されるようになっている。
【００６９】
遊技球が始動入賞口１１に入賞した場合には、所定の賞品球を遊技者に与えると共に、図示しない始動入賞検出センサによって遊技球を検出し、特別図柄表示装置６の各図柄表示部８、９、１０に特別図柄をスクロール表示させ、所定時間後に左図柄表示部８、右図柄表示部１０、中図柄表示部９の順に特別図柄を停止させて抽選を行い、左図柄表示部８の特別図柄と右図柄表示部１０の特別図柄とが停止した時点で大当りを構成する特別図柄の組合せ（例えば同一の特別図柄の組合せ）である場合にはリーチとなり、特別図柄表示装置６の図柄表示部３０にて所定のリーチアクションが表示されるようになっており、その後中図柄表示部９の特別図柄が停止した時点で確定表示された特別図柄が予め定められた特別図柄の組合せである場合には大当りとなり、図示しないマイクロコンピュータ等で構成される遊技制御手段により、大入賞口７としてのアタッカを所定の態様で開放する大当り遊技が実行されるようになっており、これら以外の特別図柄の組合せである場合には、はずれとなる。
【００７０】
従って、遊技者は、大当りを獲得するべく、打球操作ハンドル２を適宜操作して遊技球を遊技盤２１上の遊技領域５に打ち出し、始動入賞口１１に遊技球を入賞させようと腐心することになる。つまり換言すれば、遊技者の遊技機１における遊技の最大の目標は、いかに始動入賞口１１に多くの遊技球を入賞させるかということになる。
【００７１】
なお、遊技球が普通入賞口１４に入賞した場合には、所定の賞品球が遊技者に与えられる。また、遊技球が普通図柄作動ゲート１９を通過した場合には、図示しない作動ゲート検出センサによって遊技球を検出し、普通図柄表示装置１８に普通図柄を変動表示させて抽選を行い、確定表示された普通図柄が予め定められた普通図柄である場合には当りとなり、図示しないマイクロコンピュータ等で構成される遊技制御手段により、始動入賞口（電動チューリップ）１１の羽根１１ａ，１１ａを後述するソレノイド４０を内蔵する駆動装置３９により所定時間開放する当り遊技が実行されるようなっている。
【００７２】
図２は、特別図柄表示装置６の正面図である。特別図柄表示装置６には、図柄表示部３０の下半分を周回するように、本発明に係わる遊技球の誘導装置を構成する導入口５１，５１、誘導路５２，５２、誘導部材５０が設けられている。導入口５１，５１は、その上部が開口された略箱状に形成され、落下してくる遊技球を受入可能に遊技盤２１に対し突出して設けられており、受入れた遊技球は図示しない導出口より誘導路５２，５２に導出するようになっている。
【００７３】
誘導路５２，５２は、その上下部が開口された略直方体状に形成され、導入口５１，５１から導出された遊技球を受入可能に導入口５１，５１の後部に連接して設けられており、受入れた遊技球は図２に示す放出口５３，５３より誘導部材５０に導出するようになっている。
【００７４】
誘導部材５０は、本発明の要部を構成するものでその詳細は後述するが、誘導路５２，５２から導出された遊技球を受入可能に誘導路５２，５２の放出口５３，５３に連接して設けられており、受入れた遊技球は不特定時間滞留した後、最終的に遊技領域５に放出するようになっている。
【００７５】
従って、上記したように、打球発射装置から発射され遊技盤２１上の遊技領域５を落下する過程において、遊技球が、図２に示すように導入口５１，５１に入球すると、該入球した遊技球は、導入口５１，５１から誘導路５２，５２に導出され、さらに誘導路５２，５２の放出口５３，５３から誘導部材５０に導出されることになり、この誘導部材５０に導出された遊技球は、後に詳述する様々な軌道を描きながら始動入賞口１１、あるいは再び遊技領域５に向けて放出されることになる。
【００７６】
そしてこの誘導部材５０から放出されるとき、遊技球は、その方向やスピンに応じて、始動入賞口１１に入賞したり、入賞しなかったりする。始動入賞口１１への入賞は、上記したように、遊技者が、自身にとって有利な大当りを獲得するための必要条件であり、遊技者にとって極めて関心の高い事項である。そのため、遊技者は、誘導部材５０から遊技球がどのような態様で放出されるかを注意深く見守ることになる。
【００７７】
ここで誘導部材５０の構成について詳述する。図３は、特別図柄表示装置６に設けられる誘導装置に始動入賞口（電動チューリップ）１１が取り付けられた状態を示す斜視図、図４は、始動入賞口（電動チューリップ）１１が取り付けられたときの誘導部材５０の正面図、図５は、始動入賞口（電動チューリップ）１１が取り付けられたときの誘導部材５０の平面図、図６は、始動入賞口（電動チューリップ）１１が取り付けられたときの誘導部材５０の右側面図、図７は、図５におけるＡ−Ａ断面図、図８は、図５におけるＨ−Ｈ断面図、図９は、図５におけるＢ−Ｂ断面図、図１０は、図５におけるＣ−Ｃ断面図、図１１は、図５におけるＧ−Ｇ断面図、図１２は、段部８５の拡大正面図、図１３は、正面から見て左側に設けられたガイド部材９２の構成を説明する分解斜視図である。
【００７８】
誘導部材５０は、大別すると、第１ステージ６０、第２ステージ７０、第３ステージ８０、下壁９１から構成され、後に詳述するが、各ステージ６０、７０、８０の奥行き方向には、前方を開放する空間が形成されると共に、第１ステージ６０の略前方下部には第２ステージ７０が設けられ、さらに第１ステージ６０の略直下部には第２ステージ７０と隣接して第３ステージ８０が設けられた２階建て構造となっている。
【００７９】
一方、下壁９１には、後に詳述するが、第３ステージ８０の中央凹面部８１に対応する所定の位置に始動入賞口１１を取り付けるための嵌合凸部７７が設けられていると共に、始動入賞口１１の上方に位置し、遊技盤２１を露出させて障害釘９４，９４を植設するための開口部９３が穿設されている。
【００８０】
また、誘導部材５０には、これらの各ステージ６０、７０、８０、下壁９１以外にも、第１ステージ６０及び第３ステージ８０の後端側に立設する奥壁５６と、第２ステージ７０の前端側に突設するガイド部材９２とを備えており、即ち、誘導部材５０は、第１ステージ６０、第２ステージ７０、第３ステージ８０、奥壁５６、下壁９１及びガイド部材９２から構成されている。
【００８１】
まず、第１ステージ６０は、第３ステージ８０の上部にて略アーチ型の屋根状に形成され、上記誘導路５２，５２の放出口５３，５３に連接して設けられており、該放出口５３，５３から導出された遊技球を受入れて転動させる第１スロープ６４と、第１スロープ６４の中央後端部に穿設され、第１スロープ６４上を転動しつつ不特定時間滞留する遊技球を第１スロープ６４から落下させて第３ステージ８０に移動する切欠６１と、第１スロープ６４の前端上側に突設され、第１スロープ６４の前側からの遊技球の落下を防止するための前壁６２と、第１スロープ６４の略両端の裾部に設けられ、第１スロープ６４上を転動しつつ不特定時間滞留する遊技球を第１スロープ６４から転動させて第２ステージ７０に移動する傾斜部６３，６３とから構成されている。なお、第１スロープ６４は、図３及び図５に示すように、その後端側の上記前壁６２とほぼ対応する箇所（切欠６１を除く）が開放されており、従って、第１スロープ６４上を転動しつつ不特定時間滞留する遊技球は、この開放されている第１スロープ６４の後端側から落下して第３ステージ８０に移動することになる。
【００８２】
第１スロープ６４は、図９に示すように、正面から見て右方向に下り勾配が形成された第１斜面６５と、該第１斜面６５に連設され略凹面状に勾配が形成された第１谷部６６と、該第１谷部６６に連設され略凸面状に勾配が形成された長尺状の山部６７と、該山部６７に連設され略凹面状に勾配が形成された第２谷部６８と、該第２谷部６８に連設され正面から見て左方向に下り勾配が形成された第２斜面６９とから構成されている。つまり、第１スロープ６４は、図４に示す長手方向の中心線Ｄ−Ｄに対し左右対称に稜線を有する勾配が形成された曲面構造になっており、従って第１斜面６５と第２斜面６９、第１谷部６６と第２谷部６８、山部６７は、所定の単一なアールにて形成される（第１斜面６５、第２斜面６９と山部６７は同一のアールとなっている）と共に、上記中心線Ｄ−Ｄに対して互いに対称形状となっている。なお、第１スロープ６４の奥行方向の通路幅は、遊技球１個分の径の略２倍程度に形成されると共に、図６及び図７に示すように、その表面奥行方向は水平に設けられている。
【００８３】
ここで、図１４を用いて上記した誘導路５２，５２の内部構造について説明する。図１４は、特別図柄表示装置６の正面から見て左側に設けられた誘導路５２の内部構造を示す正面図である。誘導路５２，５２は、特別図柄表示装置６の中心線（上記中心線Ｄ−Ｄ）に対し左右対称に形成され、両者とも同様な内部構造となっているので、ここでは代表して特別図柄表示装置６の左側に設けられた誘導路５２についてのみ説明する。誘導路５２の内部には、図１４に示すように、その左右両縁部に側壁９６ａ、９６ｂが設けられており、この側壁９６ａ、９６ｂの肉厚は、放出口５３に向かうにつれて左右方向の厚み（以下、単に厚みともいう）が増すように形成され、さらに両者９６ａ、９６ｂの間は空洞になっている。誘導路５２の上端における側壁９６ａ、９６ｂの厚みは、ほぼ同じ厚みになっているが、放出口５３に向かうにつれて側壁９６ａの厚みの方が、側壁９６ｂの厚みよりも大きくなっていき、誘導路５２の下端における側壁９６ａ、９６ｂの厚みは、図１４に示すように、側壁９６ａの厚みが側壁９６ｂの厚みの略３倍程度になっている。一方、誘導路５２の前後両縁部にも、図示は省略するが、側壁９６ａ、９６ｂと同様の側壁がそれぞれ形成されており、その前側の側壁が側壁９６ａに相当し、後側の側壁が側壁９６ｂに相当している。
【００８４】
即ち、この左右両縁部の側壁９６ａ、９６ｂと前後両縁部の側壁とにより、導入口５１から受入れた遊技球を放出口５３へと誘導する落下通路９５が形成されているのであるが、該落下通路９５は、この左右両縁部の側壁９６ａ、９６ｂと前後両縁部の側壁とにより放出口５３に向かうにつれてその左右前後方向の径（以下、単に径ともいう）が細くなるテーパー状に設けられることになり、その下端となる略正方形状（図３参照）の放出口５３の径は、遊技球１個分の径より少し大きいように形成されている。具体的に放出口５３の径は、通常、遊技球の径が１１ｍｍであるので、１２〜１４ｍｍ程度となる。そして、落下通路９５の下端となる放出口５３は、上記した第１ステージ６０における第１スロープ６４の左端部に臨むようになっているが、この放出口５３が第１スロープ６４に臨む位置は、図３に示すように、落下通路９５と第１スロープ６４とが段差を生じない位置、即ち遊技球が落下通路９５から放出口５３を介して滑らかに第１スロープ６４へ転動する位置になっていると共に、放出口５３から転動した遊技球が、当該遊技球を第３ステージ８０に移動するための切欠６１と第２ステージ７０に移動するための傾斜部６３とを避ける位置に規定されている。
【００８５】
つまり、誘導路５２，５２は、放出口５３，５３から遊技球を第１スロープ６４に導出する際、当該遊技球に所定の方向性と速度を与え、放出口５３，５３から第１スロープ６４に導出した遊技球がすぐに第１スロープ６４（第１ステージ６０）から第２ステージ７０または第３ステージ８０に移動するのを阻止してほぼ規則的に第１スロープ６４上を転動しつつ不特定時間滞留させるためのものであり、従って、放出口５３，５３から第１スロープ６４に導出された遊技球は、第１スロープ６４上を左右に往復運動しながら転動する速度を弱めていき、即ち第１スロープ６４上に不特定時間滞留した後、切欠６１や傾斜部６３，６３、あるいは第１スロープ６４の後端側や両端部等から第２ステージ７０または第３ステージ８０に移動することになる。
【００８６】
また、切欠６１は、第１スロープ６４の中央山頂の後端部に図３及び図５に示すように半円状に切り欠かれて穿設されており、この半円の径は、遊技球１個分の径より大きいように形成されている。ここで、誘導部材５０の一番奥行側にほぼ垂直に立設され、略々凹面状に形成された奥壁５６について説明する。この奥壁５６は、図４に示す中心線Ｄ−Ｄに対し左右対称に略々台形状に形成されており、その上端は、図２に示すように、特別図柄表示装置６の図柄表示部３０のすぐ下まで延び、下端は、図６及び図７に示すように、後に詳述する第３ステージ８０の所定の単一なアールにて形成された後端面全長に亘って付設されている。
【００８７】
また、奥壁５６の左右方向の中央には、その上下方向に、第１スロープ６４上を転動しつつ不特定時間滞留する遊技球を第１スロープ６４の略中央から落下させて第３ステージ８０の中央部（後述する段部８５の中央凹面部８１または凹面部８２，８２）に移動するための半円溝状に形成された誘導溝５５が、全長に亘って設けられている。誘導溝５５は、上記切欠６１に対向して設けられており、その半円の径は、上記切欠６１の半円の径とほぼ同じ径に形成され、即ち遊技球１個分の径より大きいように形成されている。
【００８８】
従って、切欠６１と誘導溝５５とは、両者が合体することにより図５に示すように略円状の空間を形成することになり、この円状の空間から第１スロープ６４上の中央付近に滞留する遊技球が落下し、誘導溝５５に沿って第３ステージ８０に移動することになる。
【００８９】
一方、奥壁５６の誘導溝５５の左右両側には、その上下方向に、第１スロープ６４上を転動しつつ不特定時間滞留する遊技球を、第１スロープ６４の略中央と両端部を除く位置の奥行方向の奥側から落下させて第３ステージ８０の中央部以外の箇所（後述する第３スロープ８３，８３または山部９０，９０）に移動するための幅広の凹面状に形成された落下溝５７，５７が、全長に亘って設けられている。落下溝５７，５７は、上記中心線Ｄ−Ｄに対し左右対称の形状に設けられ、その左右方向の長さは、遊技球３個分の径より少し大きいように形成されている。
【００９０】
即ち誘導路５２，５２に規制されて放出口５３，５３から第１スロープ６４上に導出された遊技球は、最初は規則的に第１スロープ６４上を左右に往復運動することになるが、その後一部の遊技球は、往復運動した後に第１スロープ６４の頂上付近で移動速度を弱め、後述する前壁６２に衝突したりして不特定時間滞留した後に切欠６１と誘導溝５５とで形成する円状空間へと流入し、誘導溝５５に沿って落下しながら第３ステージ８０に移動し、また、一部の遊技球は、往復運動した後に第１スロープ６４の頂上付近以外の箇所で移動速度を弱め、後述する前壁６２に衝突したりして不特定時間滞留した後に落下溝５７，５７へと流入し、該落下溝５７，５７に沿って落下しながら第３ステージ８０に移動することになる。
【００９１】
なお、当該円状の空間の径は、上記説明から明らかなように遊技球１個分の径より大きければ、特に限定するものではないが、あまり遊技球１個分の径（１１ｍｍ）に近い大きさにすると、遊技球が当該円状の空間に流入しずらくなり、遊技の興趣が低下するので、望ましくは１４ｍｍ〜１６ｍｍ程度が良い。
【００９２】
また、前壁６２は、第３ステージ８０の後述する空間部８４に対応する第１スロープ６４の前端側、換言すれば第１スロープ６４の前記第１斜面６５、第１谷部６６、第２谷部６８、第２斜面６９をほぼ除く前記山部６７の前端側に沿って、上方に向かって短尺状（例えば４〜６ｍｍ程度）に突設されており、従って前壁６２は、第１スロープ６４の前側から第２ステージ７０への遊技球の落下を防止する。即ち前壁６２は、誘導路５２，５２に規制されて放出口５３，５３から第１スロープ６４上に導出された遊技球が、第１スロープ６４上を左右に往復運動する場合と、往復運動した後に第１スロープ６４の頂上付近で移動速度を弱めて不特定時間滞留する場合と、往復運動した後に第１スロープ６４の頂上付近以外の箇所で移動速度を弱めて不特定時間滞留する場合とにおいて、何れの遊技球も第１スロープ６４の前側から落下して第２ステージ７０へ移動するのを防止することができるようになっている。
【００９３】
なお、前壁６２は、略直方体状（図７参照）に前記山部６７の前端側の一連全長に亘って形成したが、この形状は限定することなく、例えば蒲鉾状や三角柱状等でも良く、また遊技球が落下もしくは停止しないような間隔を設けて複数に分離して配設けるようにしても良く、さらには、それら形状と配設とを組み合わせるようにして形成しても良い。このようにすれば、第１ステージ６０における遊技球の挙動をさらに多種多様にでき、遊技の趣向をさらに増大させることができる。
【００９４】
また、傾斜部６３，６３は、第１スロープ６４の裾部となる前壁６２（第３ステージ８０）の両側、換言すれば第１スロープ６４の上記第１谷部６６、第２谷部６８に略対向する第１スロープ６４の前側に略半円状に形成されている。この傾斜部６３，６３において、その左右方向には、上記第１斜面６５または第２斜面６９と山部６７とに連設され、略凹面状に上記第１谷部６６または第２谷部６８の勾配よりも少し大きな下り勾配（つまり第１谷部６６及び第２谷部６８のアールより小さいアール）が形成されており、一方、その奥行方向には、図１１に示すように、遊技機１の裏面側となる奥側（以下、単に奥側ともいう）から遊技機１の表面側となる手前側（以下、単に手前側ともいう）に向かって所定の下り勾配が設けられおり、さらに第２ステージ７０の境界となる傾斜部６３，６３の前端箇所には、略三角状の段差５９，５９が形成されるようになっている。
【００９５】
従って傾斜部６３，６３は、当該傾斜部６３，６３に第１スロープ６４上から流入した遊技球を、手前側に付勢することにより第１スロープ６４から第２ステージ７０に移動させ、最終的に誘導部材５０の外部に流下させる。即ち傾斜部６３，６３は、誘導路５２，５２に規制されて放出口５３，５３から導出された遊技球が、第１スロープ６４上を左右に往復運動する過程で当該傾斜部６３，６３に流入することにより、該流入した遊技球を付勢して上記段差５９，５９を飛び越えて第２ステージ７０に移動させるようになっている。なお、傾斜部６３，６３から第２ステージ７０に移動した遊技球は、後に詳述するが、第２ステージ７０を横切るようにして第２ステージ７０の前端に設けられたガイド部材９２衝突し、第２ステージ７０の奥行方向の奥側に向かって跳ね返ってくるようになっている。
【００９６】
なお、図１１に示す傾斜部６３，６３の上記所定の下り勾配は、特に限定するものではないが、遊技球が勢いよく転動する角度が望ましく、例えば３〜５度以上が望ましい。このようにすると、仮に遊技機１が奥側にわずかに寝かして（例えば２分〜４分５厘または０．５度〜１度）立設されたりしても、所期の性能を維持することが可能となり、従い誘導部材５０の使い勝手が良くなる。
【００９７】
次に、第２ステージ７０の構成について詳述する。第２ステージ７０は、一連全長に亘って所定の単一なアールにて形成され、第１ステージ６０の前側にその略両端部が連接するように設けられると共に、第３ステージ８０の前側にその略中央部分が連接するように設けられ、第１ステージ６０及び第３ステージ８０から転動してきた遊技球を受入れて転動させる第２スロープ７１と、第２スロープ７１の中央前側に突設され、第３ステージ８０の後述する中央凹面部８１、凹面部８２，８２から流下してくる遊技球を誘導部材５０の外部に誘導して流下させる誘導板７２とから構成されている。
【００９８】
第２スロープ７１は、図１０に示すように、一連全長に亘って略凹面状に勾配が形成されて設けられており、その略両端部は、上記した図９に示す第１スロープ６４の第１斜面６５及び第２斜面６９とつらなり、即ち第２スロープ７１の略両端部は、第１斜面６５及び第２斜面６９と同一の下り勾配が形成され、一方、第２スロープ７１の上記両端部以外の中央部は、第３ステージ８０の前端側に連接され、第１スロープ６４と図１０に示す中心線Ｆ−Ｆに対し対称状に設けられ、従って第２スロープ７１の中央部は、上記した第１スロープ６４の略凸面状に勾配が形成された長尺状の山部６７の形状と中心線Ｆ−Ｆに対して対称の形状となっている。
【００９９】
換言すれば、第２スロープ７１は、図４に示す中心線Ｄ−Ｄに対し左右対称に稜線を有する勾配が形成（所定の単一なアールにて形成）された曲面構造になっており、従って上記中心線Ｄ−Ｄに対して対称形状となっている。なお、第２スロープ７１の奥行方向の通路幅は、遊技球１個分の径の略１．５倍程度に形成されると共に、第２スロープ７１は、図７に示すように、その表面奥行方向に、奥側から手前側に向かって所定の下り勾配が設けられている。
【０１００】
また、第２スロープ７１の前端には、図３に示すように、第２スロープ７１の曲面構造に沿って、ガイド部材９２，９２が上方に突出するように設けられている。このガイド部材９２，９２は、第１ステージ６０や第３ステージ８０から第２ステージ７０に流下してきた遊技球が、第２スロープ７１を介して誘導部材５０の外部に落下するのを防止するための部材であり、誘導板７２の左右に、つまり上記中心線Ｄ−Ｄに対して対称状に、誘導板７２を挟むように形成されている。なお、上記したように、ガイド部材９２，９２は、上記中心線Ｄ−Ｄに対し左右対称に形成され、両者とも同様な構造となっているので、ここでは代表して誘導板７２の左側に設けられたガイド部材９２についてのみ説明する。
【０１０１】
ガイド部材９２は、レール７３、スライド片７５、固定片７６とから構成されており、まず、レール７３は、スライド片７５を所定区間、左右方向にスライドさせるためのもので、図３に示すように、第２スロープ７１の前端からごくわずかだけ間隔をあけた位置に、第２スロープ７１の曲面構造に沿って形成されている。
【０１０２】
レール７３は、図１３に示すように、多数の方形状の嵌合溝８９，８９，８９・・・が第２スロープ７１の側端から誘導板７２の少し手前の位置まで連続して第２スロープ７１に穿設されており、この嵌合溝８９，８９，８９・・・は、後述するスライド片７５のストッパ９９，９９，９９，９９を嵌合して、スライド片７５を第２スロープ７１上に位置固定するためのものである。なお、レール７３の長さは、スライド片７５と固定片７６とを足した長さよりわずかに短くなっている。
【０１０３】
次に、固定片７６は、第２スロープ７１の前側略端部から遊技球が落下するのを防止すると共に、スライド片７５を略収納するためのもので、上記した誘導路５２にその左側面を当接しつつ、第２スロープ７１の前端両側に上方に突出するように第２スロープ７１の曲面構造に沿って設けられている。固定片７６は、図１３に示すように、断面略凹面状に形成され、その内部にスライド片７５を収納するための空洞部９８が形成されており、この空洞部９８は、レール７３と対面するように設けられている。従って、固定片７６は、レール７３を跨ぐように第２スロープ７１取り付けられ、その長さは、スライド片７５とほぼ同じ長さ、つまりレール７３の長さの半分よりわずかに長くなっている。
【０１０４】
次に、スライド片７５は、第２スロープ７１の前側略中央部から遊技球が落下するのを防止すると共に、自身を左右にスライドさせることで、任意に遊技球が落下する第２スロープ７１の前端位置を特定するためのもので、その左端部を固定片７６の空洞部９８に臨ませつつ、後述するストッパ９９，９９，９９，９９をレール７３の嵌合溝８９，８９，８９・・・に嵌合して第２スロープ７１の曲面構造に沿って設けられている。
【０１０５】
スライド片７５は、図１３に示すように、細長い略矩形の平板状に形成され、その右側面には、つまみ７４が設けられており、このつまみ７４は、スライド片７５を左右方向にスライドさせるために人が指でつまむためのもので、略矩形の平板状に形成され、スライド片７５の側面につまみ７４の幅広面が直交するように設けられると共に、その上部が上記固定片７６と略同じ高さまでスライド片７５より突出するように設けられている。また、スライド片７５の下側には、左右両端及びその間に２つ、つまり４つのストッパ９９，９９，９９，９９が設けられており、このストッパ９９，９９，９９，９９は、先端が丸くなった略四角柱状に形成され、下方に短く突出するように設けられている。なお、スライド片７５の長さは、固定片７６とほぼ同じ長さ、つまりレール７３の長さの半分よりわずかに長くなっている。
【０１０６】
このように形成されるスライド片７５を左右方向にスライドさせるには、人がつまみ７４をつまんで所望する方向、即ち右（図１３における矢印Ｗ）か左（図１３における矢印Ｙ）の方向に引っ張るようにして移動するようにすれば良い。つまり、このように左右方向につまみ７４を引っ張ると、固定片７６の空洞部９８と、ストッパ９９，９９，９９，９９の丸くなった先端とにより、ストッパ９９，９９，９９，９９が、引っ張る方向に次から次へとレール７３の嵌合溝８９，８９，８９・・・に対し挿脱を繰り返し、その後、つまみ７４を引っ張るのをやめることで、スライド片７５を第２スロープ７１の所望する位置に固定することができる。また、スライド片７５の移動範囲は、右方向においては、一番右のストッパ９９が一番右の嵌合溝８９に嵌合するまで、左方向においては、一番左のストッパ９９が一番左の嵌合溝８９に嵌合するまで（つまみ７４が固定片７６に当接するまで）、即ち固定片７６からレール７３がはみ出している範囲を、左右にスライド自在になっている。なお、固定片７６及びスライド片７５は、衝突する遊技球を跳ね返すため、その材質は弾性部材にて形成されている。
【０１０７】
従って第２スロープ７１において、第１スロープ６４の略両端部から転動してきた遊技球は、第２スロープ７１上を左右に往復運動しながら転動する速度を弱めていき、即ち第２スロープ７１上に不特定時間滞留した後、上記所定の下り勾配により誘導部材５０の外部に落下することになるが、このときガイド部材９２，９２に衝突した遊技球は、第２スロープ７１の奥行方向の奥側に跳ね返って第３ステージ８０に進入したり、ガイド部材９２，９２に沿って転動したりして不特定時間滞留し、最終的には、ガイド部材９２，９２のスライド片７５，７５が延びていない第２スロープ７１の前側中央より、もしくは誘導板７２より誘導部材５０の外部に落下することになる。
【０１０８】
また、傾斜部６３，６３から流入してきた遊技球、あるいは切欠６１、誘導溝５５及び落下溝５７，５７から第３ステージ８０を介し第１スロープ６４の下をくぐるようにして流入してきた遊技球は、第２スロープ７１上を奥側から手前側に直線的に横切るようにして移動するが、傾斜部６３，６３から流入してきた遊技球は、上述した第１スロープ６４の略両端部から転動してきた遊技球と略同様に、ガイド部材９２，９２に激しく衝突して、第２スロープ７１の奥行方向の奥側に跳ね返って第３ステージ８０あるいは第１ステージ６０まで進入したりした後、ガイド部材９２，９２に沿って転動したりして不特定時間滞留し、最終的には、ガイド部材９２，９２のスライド片７５，７５が延びていない第２スロープ７１の前側中央より、もしくは誘導板７２より誘導部材５０の外部に落下することになり、一方、切欠６１、誘導溝５５から第３ステージ８０を介して流入してきた遊技球は、第２スロープ７１上を奥側から手前側に直線的に横切るようにして、そのまま誘導板７２を通って誘導部材５０の外部に落下することになる。
【０１０９】
なお、落下溝５７，５７から第３ステージ８０を介して流入してきた遊技球は、スライド片７５，７５の位置によって異なる態様になり、スライド片７５，７５に衝突する場合は、ほぼ上述した傾斜部６３，６３から流入してきた遊技球と同様であり、一方、スライド片７５，７５に衝突しない場合は、第２スロープ７１上を奥側から手前側に直線的に横切るようにして、そのまま第２スロープ７１から誘導部材５０の外部に落下することになる。
【０１１０】
上記の説明で明らかなように、第２スロープ７１にガイド部材９２，９２を設けることにより、かりに中央凹面部８１を通らずに遊技球が落下しても、始動入賞口１１に誘導されるチャンスが多くなり、遊技者は、遊技球の挙動から目を離すことなく、第２ステージ７０上に滞留する遊技球に最後まで期待することができ、遊技の趣向が増大する。さらに、スライド片７５，７５を調整することで、第２ステージ７０から落下する遊技球の始動入賞口１１への入賞確率を、任意に変更することができるようになり、使い勝手が良くなる。
【０１１１】
また、誘導板７２は、主に第３ステージ８０から第２スロープ７１を介して流入する遊技球を、誘導部材５０の外部に落下させて後述する下壁９１の嵌合凸部７７に位置規制されて遊技盤２１に取り付けられた始動入賞口１１に誘導するもので、第２スロープ７１と同一の単一なアールにて形成され、第２スロープ７１の前端の中央箇所に、前側に向かって短尺状（例えば２〜５ｍｍ程度）に突設されており、その左右方向の長さは、遊技球略３個分の大きさに形成されている。従い誘導板７２は、第２スロープ７１とつらなり、該第２スロープ７１と同一の略凹面状に勾配が形成されて設けられており、即ち誘導板７２は、図４に示す中心線Ｄ−Ｄに対し左右対称に稜線を有する勾配が形成された曲面構造になっており、従って上記中心線Ｄ−Ｄに対して対称形状となっている。なお、図６及び図７に示すように、誘導板７２は、その表面奥行方向に、奥側から手前側に向かって第２スロープ７１と同一の所定の下り勾配が設けられている。
【０１１２】
従って、誘導板７２において、第２スロープ７１上に不特定時間滞留した後に転動してきた遊技球は、上記所定の下り勾配により誘導板７２を斜めに横切るようにして誘導部材５０の外部に落下したり、また、切欠６１、誘導溝５５及び落下溝５７，５７から第３ステージ８０を介して第２スロープ７１から転動してきた遊技球は、即ち、第３ステージ８０の後述する中央凹面部８１、凹面部８２，８２から第２スロープ７１を直線的に横切るようにして転動してきた遊技球は、同様に誘導板７２上を奥側から手前側に直線的に横切るようにして誘導部材５０の外部に落下することになり、該落下した遊技球の一部は、始動入賞口１１に入賞するようになっている。
【０１１３】
なお、第２スロープ７１及び誘導板７２に形成される上記所定の下り勾配は、特に限定するものではないが、遊技球が滑らかに転動する角度が望ましく、例えば２〜３度程度が望ましい。このようにすると、仮に遊技機１を奥側にわずかに寝かして（例えば２分〜４分５厘または０．５度〜１度）立設されたりしても、所期の性能を維持することが可能となり、従い誘導部材５０の使い勝手が良くなる。
【０１１４】
次に、第３ステージ８０の構成について詳述する。第３ステージ８０は、第１ステージ６０の略直下部に、第１ステージ６０の裏面部と第２ステージ７０と奥壁５６とで略囲まれて形成される空間部８４に設けられており、従って第３ステージ８０の後端は、図５、図７及び図８に示すように、左右方向の中央部は奥壁５６の誘導溝５５に当接し、その中央部以外の箇所は、奥壁５６の落下溝５７に当接するようになっており、一方、前端は第２スロープ７１の後端に平面から見て直線状に隣接するようになっている。また、第３ステージ８０は、その中央部に略小山が複数隆起するような形状の段部８５と、該段部８５の両側に形成される第３スロープ８３，８３とにより構成されており、まず段部８５は、図５及び図９に示すように、その中央に略凹面状に勾配が形成された中央凹面部８１と、該中央凹面部８１の両側に隣接する略凹面状に勾配が形成された凹面部８２，８２と、該凹面部８２，８２の左右に隣接し、中央に向かって緩やかな上り勾配が形成された半凹面状の山部９０，９０と、山部９０，９０と凹面部８２，８２との間に設けられる凸面部８８，８８と、凹面部８２，８２と中央凹面部８１との間に設けられる中央凸面部８７，８７とから構成されている。
【０１１５】
即ち段部８５は、図４に示す中心線Ｄ−Ｄに対し左右対称に稜線を有する勾配が形成された曲面構造になっており、従って中央凹面部８１、凹面部８２，８２、山部９０，９０は、所定のアールにて形成されると共に、上記中心線Ｄ−Ｄに対して互いに対称形状となっている。なお、中央凹面部８１及び山部９０，９０は、単一のアールにて形成されているが、凹面部８２，８２は、図１２に示すように、二つの連続するアールＲ１，Ｒ１，Ｒ２，Ｒ２にて形成されており、この二つのアールＲ１，Ｒ１，Ｒ２，Ｒ２のうち、中央寄り（中央凹面部８１寄り）のアールＲ２，Ｒ２は、端寄り（山部９０，９０寄り）のアールＲ１，Ｒ１よりも小さく形成されいる。
【０１１６】
つまり、凹面部８２，８２において、中央寄りのアールＲ２，Ｒ２の下り勾配は、端寄りのアールＲ１，Ｒ１の下り勾配よりも急勾配となっており、さらに左右方向における中央寄りのアールＲ２，Ｒ２の長さは、端寄りのアールＲ１，Ｒ１の長さよりも短くなっている。凹面部８２，８２がこのように形成されている理由は、上記したガイド部材９２，９２に当たって跳ね返ってきた遊技球が、第３ステージ８０の両側に形成される第３スロープ８３，８３から段部８５に流入し、山部９０，９０の緩やかな上り勾配を転動して凸面部８８，８８をのり越えて凹面部８２，８２に流入する場合において、この凹面部８２，８２に流入した遊技球を、緩やか且つ長く形成されたアールＲ１，Ｒ１上を転動させることにより付勢し、その流れに勢いを増加させてアールＲ２，Ｒ２へと流出し、該アールＲ２，Ｒ２に流入した遊技球を、その勢いによりアールＲ１，Ｒ１より上りが急勾配且つ短く形成されたアールＲ２，Ｒ２を一気に駆け上がらせて中央凸面部８７，８７を飛び越えるようにして中央凹面部８１に導出させたいからである。
【０１１７】
また、段部８５は、図５及び図７に示すように、第３ステージ８０のほぼ前端から後端に亘って形成されており、特に中央凹面部８１全体と凹面部８２，８２の一部は、上記した奥壁５６の誘導溝５５に当接し、切欠６１と誘導溝５５とにより形成される略円状の空間を臨むようになっている。これにより、この円状の空間から落下してきた遊技球は、高い確率にて中央凹面部８１に導出されるようになる。また、凹面部８２，８２の一部と山部９０，９０とは、上記した奥壁５６の落下溝５７に当接するようになっている。これにより落下溝５７，５７から落下してきた遊技球は、そのほとんどが山部９０，９０か、あるいは後述する第３スロープ８３に導出されるようになる。なお、段部８５（中央凹面部８１、凹面部８２，８２、中央凸面部８７，８７、凸面部８８，８８、山部９０，９０）は、その奥行方向は水平に設けられている。
【０１１８】
従って、段部８５において、上記円状の空間から落下し誘導溝５５に沿って移動してきた遊技球は、中央凹面部８１もしくは凹面部８２，８２の何れかを転動して上記第２スロープ７１上に落下し、さらに第２スロープ７１及び誘導板７２上を奥側から手前側に直線的に横切るようにして誘導部材５０の外部に落下することになる。また、落下溝５７，５７から落下し、この落下溝５７，５７に沿って移動してきた遊技球は、凹面部８２，８２もしくは山部９０，９０の何れかを転動し、上記第１スロープ６４の下をくぐるようにして上記第２スロープ７１上に転動することになり、凹面部８２，８２を転動する場合には、上記した円状の空間から落下し誘導溝５５に沿って移動してきた遊技球と同様であるが、山部９０，９０を転動する場合には、上記したスライド片７５，７５の位置によって異なる態様になり、スライド片７５，７５に衝突する場合は、上記第２スロープ７１のところで説明した傾斜部６３，６３から流入してきた遊技球とほぼ同様であり、一方、スライド片７５，７５に衝突しない場合は、第２スロープ７１上を奥側から手前側に直線的に横切るようにして、そのまま第２スロープ７１から誘導部材５０の外部に落下することになる。
【０１１９】
この場合、中央凹面部８１から転動して誘導部材５０の外部に落下した遊技球は、後述する始動入賞口１１に入賞する確率が高くなっており、一方、凹面部８２，８２から転動して誘導部材５０の外部に落下した遊技球は、確率は高くないものの始動入賞口１１に入賞するようになっている。また、山部９０，９０から転動してスライド片７５，７５に衝突せずに誘導部材５０の外部に落下した遊技球は、始動入賞口１１に入賞することはないが、山部９０，９０から転動してスライド片７５，７５に衝突した遊技球は、その後の遊技球の態様によっては、即ちスライド片７５，７５に衝突した後、最終的に誘導板７２を通って誘導部材５０の外部に落下したときには、始動入賞口１１に入賞することが可能になっている。
【０１２０】
また、後述する第３スロープ８３，８３から段部８５に流入する遊技球、つまり第１スロープ６４上から後ろ側に落下して落下溝５７，５７から転動してきた遊技球、または第１スロープ６４上の傾斜部６３，６３から転動してきた遊技球、あるいは第１スロープ６４の略両端部から転動してきた遊技球のうち、ガイド部材９２，９２に当たって跳ね返ることにより第３スロープ８３，８３から段部８５に流入する遊技球は、山部９０，９０に流入した後再び第３スロープ８３，８３に戻ったり、あるいは山部９０，９０を転動し凸面部８８，８８をのり越えて凹面部８２，８２に導出したり、もしくは山部９０，９０を転動し凸面部８８，８８をのり越えて凹面部８２，８２に流入し、さらに凹面部８２，８２を転動し中央凸面部８７，８７飛び越えて中央凹面部８１に導出したりすることになり、その後上記したように最終的に誘導部材５０の外部に落下することになる。なお、山部９０，９０から凹面部８２，８２に流入した遊技球は、アールＲ１，Ｒ１，Ｒ２，Ｒ２により高い確率にて中央凹面部８１に導出されるようになっている。
【０１２１】
また、第３スロープ８３，８３は、その平面形状は、図５に示すように略矩形状に設けられ、その左右方向は、図９及び図１０に示すように、全長に亘って略凹面状に上記第２スロープ７１と同一の勾配が形成され、段部８５の山部９０，９０に連接して設けられている。また、第３スロープ８３，８３の前端は、上記第２スロープ７１の後端側に連接され、一方、後端は、図５及び図８に示すように、落下溝５７，５７の下端前側に当接されている。つまり、第３スロープ８３，８３は、正面視すると、第１スロープ６４と図９に示す空間部８４の中心線Ｅ−Ｅに対し対称状に設けられ、従って第３スロープ８３，８３は、上記した第１スロープ６４の長尺状の山部６７に形成された略凸面状の勾配と中心線Ｅ−Ｅに対して対称の略凹面状の勾配となっている。
【０１２２】
換言すれば、第３スロープ８３，８３は、図４に示す中心線Ｄ−Ｄに対し左右対称に稜線を有する勾配が形成（所定の単一なアールにて形成）された曲面構造になっており、従って上記中心線Ｄ−Ｄに対して対称形状となっている。なお、図８に示すように、第３スロープ８３，８３は、その表面奥行方向は水平に設けられている。
【０１２３】
従って第３スロープ８３，８３において、第２スロープ７１の後端部から転動してきた遊技球は、即ち第１スロープ６４上から後ろ側に落下して落下溝５７，５７から転動してきた遊技球、または第１スロープ６４上の傾斜部６３，６３から転動してきた遊技球、あるいは第１スロープ６４の略両端部から転動してきた遊技球のうち、ガイド部材９２，９２に当たり跳ね返って流入してきた遊技球は、第３スロープ８３，８３上を左右に転動して段部８５（山部９０，９０）に流入したり、あるいは再び第２スロープ７１に戻ったりするようになっている。
【０１２４】
上記の説明で明らかなように、第２スロープ７１にガイド部材９２，９２を設けることにより、かりに中央凹面部８１を通らずに遊技球が落下しても、始動入賞口１１に誘導されるチャンスが多くなり、遊技者は、遊技球の挙動から目を離すことなく、第２ステージ７０上に滞留する遊技球に最後まで期待することができ、遊技の趣向が増大する。さらに、スライド片７５，７５を調整することで、第２ステージ７０から落下する遊技球の始動入賞口１１への入賞確率を、任意に変更することができるようになり、ホールにとって使い勝手が良くなる。
【０１２５】
次に、下壁９１の構成について説明する。下壁９１は、図３及び図４に示すように、略々台形の平面薄板状に形成されると共に、誘導部材５０の略前側にほぼ垂直に立設され、遊技盤２１の表面に下壁９１の裏面が重合するように上記第２スロープ７１の前端から下方に向かって延びるように設けられている。下壁９１の上端は、一連全長に亘って所定の単一なアールにて形成され、上記第２スロープ７１と同一のアールとなっており、また、下壁９１の左右両側端は、上部の直線と、その直線に続くアールとにより、下方に向かうにつれて下壁９１の左右方向の幅が狭まるように形成されている。
【０１２６】
また、下壁９１の下端は、上記左右両側端に形成されたアールの下端から内側へ水平に延びる直線と、この直線から上方へ垂直に延びる直線と、この直線の上端をつなぐ水平の直線とから略形成されており、即ち下壁９１の下端の形状は、所定の形状として略矩形状に切り欠かれた切欠部７９が形成されている。この下壁９１下端の切欠部７９は、後述する始動入賞口（電動チューリップ）１１のベース板３５を嵌合し、始動入賞口１１を所定の位置に位置規制して遊技盤２１に取り付けるためのもので、その中央には下方に延びる矩形状の嵌合凸部７７が突設されている。この嵌合凸部７７は、図４に示すように、上記した第３ステージ８０の中央凹面部８１の中心と嵌合凸部７７の中心が合致するように設けられており、即ち下壁９１の形状は、図４に示す中心線Ｄ−Ｄに対し左右対称に形成されている。
【０１２７】
また、下壁９１には、上記切欠部７９の上方、つまり上記第２ステージ７０の誘導板７２に対応する位置に開口部９３が設けられており、この開口部９３は、第２ステージ７０（第２スロープ７１及び誘導板７２）から落下してきた遊技球を、衝突させることにより流下する角度を変えて始動入賞口１１へ誘導したりしなかったりするための始動入賞口１１の上方に設けられる障害釘９４，９４を、遊技盤２１に植設するための開口であり、下壁９１のほぼ中央に略矩形状に穿設されて形成されている。
【０１２８】
本実施形態においては、障害釘９４，９４の左右方向の植設位置は、図４に示すように、正面から見て上記凹面部８２，８２の中心付近に対応するように、換言すれば、始動入賞口１１の羽根１１ａ，１１ａとほぼ同じ間隔（遊技球より少し大きい間隔、例えば１３ｍｍ）にて設けてあるが、これは、遊技機１の設計により適宜変更されるもので、従って、開口部９３の大きさは、その変更に耐えうるように余裕を持った大きさとなっている。なお、本実施形態においては、障害釘９４，９４は２本としたが、これは限定されることなく、例えば障害釘９４，９４の直上部にさらに２本植設するようにしても良い。
【０１２９】
このように開口部９３を設けることにより、始動入賞口１１の上方に障害釘９４，９４を設けることが可能になるので、遊技盤２１に対する障害釘９４，９４の突出角度を調整することにより、遊技球の始動入賞口１１への入賞確率を任意に変更することができるようになる。
【０１３０】
次に、始動入賞口（電動チューリップ）１１について詳述する。下壁９１下端の切欠部７９には、即ち遊技盤２１の所定位置には、遊技球が入賞することにより特別図柄表示装置６の各図柄表示部８、９、１０（図柄表示部３０）に特別図柄を表示させて大当りの抽選を行うための始動入賞口（電動チューリップ）１１が設けられるようになっている。ここで図７、図１５及び図１６を参照しながら、始動入賞口（電動チューリップ）１１の構成及び始動入賞口１１の遊技盤２１への取り付け状態について説明する。
【０１３１】
図１５は、始動入賞口（電動チューリップ）１１の構造を説明する分解斜視図、図１６は、始動入賞口（電動チューリップ）１１の遊技盤２１への取り付け状態を説明する斜視図である。なお、図１６において、９１は、始動入賞口（電動チューリップ）１１が遊技盤２１へ取り付けられる箇所に係わる下壁の一部分のみを示している。
【０１３２】
まず、始動入賞口（電動チューリップ）１１の構成から説明すると、図１５に示すように、始動入賞口（電動チューリップ）１１は、大別すると、本体１１ｂとベース板３５と駆動装置３９とから構成されている。ベース板３５は、本体１１ｂと駆動装置３９とを、その表裏面側に支持するため上記下壁９１と同様な平面薄板状に形成されており、その略中央下方には開口部９７が穿設され、この開口部９７の左右両側の略上方には支軸４１，４１が突設されている。開口部９７は、後述する本体１１ｂの入賞通路４２を遊技盤２１の裏面側に挿通させるため、及び後述する駆動装置３９の揺動部材４３，４３を遊技盤２１の表面側に挿通させるための開口であり、図７及び図１５に示すように、入賞通路４２より少し大きな矩形状に形成されている。また、支軸４１，４１は、羽根１１ａ，１１ａの下部に設けられた孔に挿通されて、羽根１１ａ，１１ａを左右に回動自在に軸支するためのもので、金属製の細い円柱状に形成され、後述する入賞通路４２の外側を通って本体１１ｂの所定箇所に、その前端部が嵌合連結されている。
【０１３３】
ここで、ベース板３５は、その上部が方形状に形成されると共に下部が半円状に形成され、さらにその上端には、上記下壁９１に設けられた嵌合凸部７７が嵌合するための嵌合凹部３６が設けられている。この嵌合凹部３６は、ベース板３５の中央上端から下方に延びる矩形状に、上記嵌合凸部７７と同じ大きさに切り欠かれて形成されている。また、ベース板３５の左右方向の長さは、上記した切欠部７９の左右方向の長さと同じ大きさにて形成されており、即ち切欠部７９と係合するベース板３５上部の形状は、切欠部７９の形状と整合しており、後述する本体１１ｂの中心（羽根１１ａ，１１ａ間の中央）と嵌合凹部３６の中心が合致するように設けられている。これは即ち、上記した第３ステージ８０の中央凹面部８１の中心と後述する本体１１ｂの中心（羽根１１ａ，１１ａ間の中央）が、図４に示す中心線Ｄ−Ｄ上に存在することを意味している。なお、ベース板３５の左右上端及び中央下端には、始動入賞口（電動チューリップ）１１を後述するビス３７，３７，３７にて遊技盤２１に取り付けるためのビス穴３８，３８，３８が穿設されている。
【０１３４】
次に、本体１１ｂは、ベース板３５の前面側に取り付けられ、その下部後側には入賞通路４２が設けられており、この入賞通路４２は、その上部が開放された略凹状に形成され、その前部が羽根１１ａ，１１ａの下方に臨んでいる。また、入賞通路４２の底面、つまり始動入賞口（電動チューリップ）１１に入賞した遊技球が転動する面は、該入賞した遊技球が円滑に転動するよう、図７に示すように、その前部には所定のアール面が形成されていると共に、このアール面に連接して所定の下り勾配が形成された斜面が形成されている。なお、羽根１１ａ，１１ａの後面下部には、後述する揺動部材４３，４３を遊嵌するための凹部４７（図７参照）が形成されている。
【０１３５】
次に、駆動装置３９は、ベース板３５の後面側に取り付けられ、上記入賞通路４２の上部に載置されるように略箱状に設けられている。また、駆動装置３９の内部には、ソレノイド４０が設けられており、このソレノイド４０のプランジャ４４にはスプリング４５が遊嵌されると共に、その前部に揺動部材４３，４３が取り付けられている。羽根１１ａ，１１ａを回動させる作動伝達機構は、ソレノイド４０のオン（励磁）オフ（消磁）によって摺動するプランジャ４４の直線運動を羽根１１ａ，１１ａの回動運動に変換させるもので、従って揺動部材４３，４３は、その後端がピン４８によりプランジャ４４に連結されると共に、支軸４６にて上下に回動自在に軸支されており、駆動装置３９の筐体の前面下方に形成された長孔状の開口部４９から突出し、下壁９１の開口部９７を通り、さらに上記入賞通路４２の内側を通って本体１１ｂの凹部４７に、その前部が遊嵌するようになっている。
【０１３６】
従って、始動入賞口（電動チューリップ）１１を組み立てるには、まずベース板３５の前面側から入賞通路４２を開口部９７に挿通し、次に支軸４１，４１を羽根１１ａ，１１ａの下部孔に挿通して本体１１ｂとベース板３５とを連結し、次に、ベース板３５の後面側から駆動装置３９の揺動部材４３，４３を開口部９７の上部に挿通し、揺動部材４３，４３の前部を本体１１ｂの凹部４７にそれぞれ遊嵌した後、適宜手段、例えばビス等で本体１１ｂと駆動装置３９とをベース板３５に固着するようにすれば良い。
【０１３７】
このように構成される始動入賞口（電動チューリップ）１１を遊技盤２１に取り付けるには、図１６に示すように、まず遊技盤２１の前面側から入賞通路４２及び駆動装置３９を、予めこの入賞通路４２及び駆動装置３９の形状に合わせて遊技盤２１に穿設されているルータ２７に挿通する。そして、下壁９１の嵌合凸部７７にベース板３５の嵌合凹部３６を嵌合し、ベース板３５上部を切欠部７９に嵌合してベース板３５を遊技盤２１の前面側に重合した後、ビス穴３８，３８，３８を介してビス３７，３７，３７を遊技盤２１に螺着するようにすれば良い。この場合、ベース板３５の上辺全て及び左辺と右辺の一部とが、下壁９１の下辺に当接し、始動入賞口（電動チューリップ）１１が強固に固定されて遊技盤２１に取り付けられることになる。
【０１３８】
こうして遊技盤２１に取り付けられた始動入賞口（電動チューリップ）１１は、常態において図７及び図１５に示すように、ソレノイド４０がオフ（消磁）し、スプリング４５の付勢によってプランジャ４４が前進しているので揺動部材４３，４３が下向きとなり、羽根１１ａ，１１ａは垂直状に閉口した状態となっている。この状態においては、上記障害釘９４，９４の間を流下した遊技球のみが入賞可能となっている。一方、上記したように、遊技球が普通図柄作動ゲート１９を通過し、普通図柄表示装置１８に予め定められた普通図柄（当り）が確定表示された場合には、ソレノイド４０がオン（励磁）されプランジャ４４が後方に摺動するので、揺動部材４３，４３が支軸４６を支点に揺動されて上向きに回動し、該揺動部材４３，４３の上向きの回動に伴って羽根１１ａ，１１ａが支軸４１を支点に左右に回動されて逆ハの字状に開放し、始動入賞口（電動チューリップ）１１は、遊技球が入賞しやすい遊技者に有利な状態となる。この状態においては、上記障害釘９４，９４の間を流下しなかった遊技球も入賞可能となっている。そして、始動入賞口（電動チューリップ）１１に入賞した遊技球は、入賞通路４２を滑らかに転動しながら流下し、図示しない始動入賞検出センサによって検出されることにより、特別図柄表示装置６の各図柄表示部８、９、１０に特別図柄を変動表示後確定表示させる大当り抽選が実行されることになる。
【０１３９】
このように始動入賞口（電動チューリップ）１１は、誘導部材５０の下壁９１に設けられた切欠部７９の嵌合凸部７７に、始動入賞口（電動チューリップ）１１のベース板３５に設けられた嵌合凹部３６を嵌合してベース板３５上部を切欠部７９に嵌合することで、位置規制されて遊技盤２１に取り付けられている。ここで、上記したように、嵌合凸部７７は、第３ステージ８０の中央凹面部８１の中心と嵌合凸部７７の中心が合致するように設けられ、嵌合凹部３６は、本体１１ｂの中心（羽根１１ａ，１１ａ間の中央）と嵌合凹部３６の中心が合致するように設けられているので、従い、始動入賞口（電動チューリップ）１１は、中央凹面部８１の中心と本体１１ｂの中心（羽根１１ａ，１１ａ間の中央）が合致して遊技盤２１に取り付けられることになる。
【０１４０】
もとより、この始動入賞口（電動チューリップ）１１の遊技盤２１への取り付け位置は、通常、上記した中央凹面部８１に対応して設けられるものであり、即ち始動入賞口（電動チューリップ）１１の遊技盤２１に対する取り付け位置は、切欠６１と誘導溝５５とにより形成される略円状空間から中央凹面部８１を通って第２ステージ７０から落下する遊技球を、高い確率にて始動入賞口（電動チューリップ）１１に入賞させるため、始動入賞口（電動チューリップ）１１の中心、即ち左右方向の中央（羽根１１ａ，１１ａ間の中央）と、中央凹面部８１の中心、即ち左右方向の中央とが図４に示す中心線Ｄ−Ｄ上に存在することが条件となっている。
【０１４１】
従って本実施形態のように、始動入賞口（電動チューリップ）１１を嵌合凸部７７と嵌合凹部３６とにより位置規制して遊技盤２１に取り付ける場合には、上記したように、誘導部材５０、即ち中央凹面部８１に対し始動入賞口（電動チューリップ）１１を極めて高い精度、且つ容易に遊技盤２１に取り付けることが可能となる。しかも、ベース板３５の形状、即ち嵌合凸部７７に嵌合するベース板３５に設ける嵌合凹部３６の形状のみ同一に形成することで、様々な形状や仕様の始動入賞口１１を選択することが可能となり、さらに遊技盤２１に始動入賞口１１を取り付けた後でも、容易に他の始動入賞口１１に変更することができ、延いては、遊技機１の設計が容易になる。
【０１４２】
なお、上記した支軸４１，４１は、ベース板３５に一体的に設けられるようにしたが、これは限定されることなく、例えば、本体１１ｂ側に一体的に設け、ベース板３５に支軸４１，４１を連結する手段、例えば支軸４１，４１の前端部を嵌合する孔等を設けるようにしても良いし、あるいは、支軸４１，４１をベース板３５及び本体１１ｂとは別体に設け、ベース板３５及び本体１１ｂに支軸４１，４１の前後端部を嵌合する孔等を設けるようにしても良い。
【０１４３】
上記の説明で明らかなように、下壁９１には、遊技球の挙動に変化を与え、遊技球の始動入賞口（電動チューリップ）１１への入賞確率を任意に変更することができる障害釘９４，９４が植設可能な開口部９３と、始動入賞口（電動チューリップ）１１を高い精度且つ容易に変更可能に遊技盤２１取り付けることができる切欠部７９（嵌合凸部７７）とが設けられているので、この下壁９１により、誘導部材５０の価値を高め遊技機１の遊技性が向上すると共に、遊技機１の使い勝手が良くなる。
【０１４４】
次に、上記のように構成される誘導部材５０における遊技球の具体的な流れについて詳述する。図１７は、第１ステージ６０、第２ステージ７０、第３ステージ８０の遊技球の流れを説明するため、その一部（奥壁５６及びガイド部材９２，９２）の構成を省略した誘導部材５０の斜視図、図１８乃至図２０は、ガイド部材９２，９２に衝突することなく、始動入賞口１１に入賞するときの遊技球の流れを説明するための説明図である。
【０１４５】
まず、図１７及び図１８（Ａ）において、例えば左側の誘導路５２から第１ステージ６０に導出された遊技球は、まず、規則的に第１スロープ６４上を矢印Ａ→Ｂ→Ｔ→Ｓという順に転動した後、こんどは反対方向に矢印Ｓ→Ｔ→Ｂ→Ａという順に転動する往復運動を繰り返し、その後転動する速度を弱め前壁６２に衝突などして第１スロープ６４上に不特定時間滞留した後、矢印Ｈに示すように、切欠６１と誘導溝５５とで形成される円状空間へと流入して落下し、誘導溝５５に誘導されて、矢印Ｍに示すように、中央凹面部８１上を転動し、さらに矢印Ｖに示すように、第２スロープ７１を直線的に横切るようにして誘導板７２から誘導部材５０の外部に落下する。そして、誘導部材５０の外部に落下した遊技球は、図１８（Ｂ）に示すように、障害釘９４，９４の間を通ってストレートに始動入賞口１１に入賞する。
【０１４６】
つまり、この場合の遊技球のルート（以下、単に第１ルートともいう）は、図１７において矢印Ａ→Ｂ→Ｔ→Ｓ→Ｔ→Ｂ→Ａ→Ｂ→Ｈ→Ｍ→Ｖというようなルートとなる。なお、この第１ルートにおいては、高い確率にて始動入賞口１１に入賞することになる。
【０１４７】
次に、図１７及び図１９（Ａ）において、第１ルートと同様、第１スロープ６４から上記円状空間へと流入したものの中央凹面部８１に落下せず、矢印Ｇ、Ｎに示すように、凹面部８２，８２に落下したときには、矢印ＵまたはＱに示すように、第２スロープ７１を直線的に横切るようにして誘導板７２から誘導部材５０の外部に落下する。そして、誘導部材５０の外部に落下した遊技球は、図１９（Ｂ）に示すように、一旦、左側の障害釘９４に衝突し、その後流下する角度を変え障害釘９４，９４の間を通って始動入賞口１１に入賞する。
【０１４８】
つまり、この場合の遊技球のルート（以下、単に第２ルートともいう）は、図１７において矢印Ａ→Ｂ→Ｔ→Ｓ→Ｔ→Ｂ→Ａ→Ｂ→Ｈ→Ｇ→Ｕ、または矢印Ａ→Ｂ→Ｔ→Ｓ→Ｔ→Ｂ→Ａ→Ｂ→Ｈ→Ｎ→Ｑというようなルートとなる。なお、図１９（Ａ）（Ｂ）においては、前者のルート（矢印Ａ→Ｂ→Ｔ→Ｓ→Ｔ→Ｂ→Ａ→Ｂ→Ｈ→Ｇ→Ｕ）を示している。また、この第２ルートにおいては、始動入賞口１１に入賞する確率は高くない。
【０１４９】
次に、図１７及び図２０（Ａ）において、第１ルートと同様、第１スロープ６４上を往復運動を繰り返し、その後転動する速度を弱め前壁６２に衝突などして第１スロープ６４上に不特定時間滞留した遊技球が、上記円状空間及び傾斜部６３，６３のどちらにも流入せずに、矢印ＯまたはＸに示すように、第１スロープ６４の後ろ側から落下し、落下溝５７，５７から凹面部８２，８２に落下したときには、第２ルートと同様、矢印ＵまたはＱに示すように、第２スロープ７１を直線的に横切るようにして誘導板７２から誘導部材５０の外部に落下する。そして、誘導部材５０の外部に落下した遊技球は、図２０（Ｂ）に示すように、一旦、左側の障害釘９４に衝突し、その後流下する角度を変え障害釘９４，９４の間を通って始動入賞口１１に入賞する。
【０１５０】
つまり、この場合の遊技球のルート（以下、単に第３ルートともいう）は、図１７において矢印Ａ→Ｂ→Ｔ→Ｓ→Ｔ→Ｂ→Ａ→Ｂ→Ｏ→Ｇ→Ｕ、または矢印Ａ→Ｂ→Ｔ→Ｓ→Ｔ→Ｂ→Ａ→Ｂ→Ｘ→Ｎ→Ｑというようなルートとなる。なお、図２０（Ａ）（Ｂ）においては、前者のルート（矢印Ａ→Ｂ→Ｔ→Ｓ→Ｔ→Ｂ→Ａ→Ｂ→Ｏ→Ｇ→Ｕ）を示している。また、この第３ルートにおいては、第２ルートと同様、始動入賞口１１に入賞する確率は高くない。
【０１５１】
次に、ガイド部材９２，９２の態様、即ちスライド片７５，７５の状態により、同様なルートを通っても始動入賞口１１に入賞したり、しなかったりするときの代表的な遊技球の流れを説明する。図２１、図２３及び図２５は、固定片７６，７６からスライド片７５，７５が張り出したときに、始動入賞口１１に入賞するときの遊技球の流れを説明するための説明図、図２２、図２４及び図２６は、それぞれ図２１、図２３及び図２５に示す遊技球の流れと対応し、固定片７６，７６にスライド片７５，７５が収納されているときに、始動入賞口１１に入賞しないときの遊技球の流れを説明するための説明図である。
【０１５２】
まず、図１７及び図２１（Ａ）において、第３ルートと同様、遊技球が、矢印ＯまたはＸに示すように、第１スロープ６４の後ろ側から落下して落下溝５７，５７に流入したときには、遊技球は、矢印ＰまたはＺに示すように、第１ステージ６０の下をくぐるようにして第３スロープ８３を直線的に流下しながら第２ステージに流入し、さらに第２スロープ７１上を直線的に横切るようにしてスライド片７５，７５に衝突する。そして、スライド片７５，７５に衝突した遊技球は、第２スロープ７１の内側に跳ね返り、さらに第３スロープ８３，８３を通って中央凹面部８１または凹面部８２，８２に流入し、その後は、上述した第１ルートまたは第２、第３ルートと同じルートを通って始動入賞口１１に入賞する。
【０１５３】
つまり、この場合の遊技球のルート（以下、単に第４ルートともいう）は、図１７において矢印Ａ→Ｂ→Ｔ→Ｓ→Ｔ→Ｂ→Ａ→Ｂ→Ｏ→Ｐ→Ｇ→Ｕ、または矢印Ａ→Ｂ→Ｔ→Ｓ→Ｔ→Ｂ→Ａ→Ｂ→Ｏ→Ｐ→Ｍ→Ｖ、または矢印Ａ→Ｂ→Ｔ→Ｓ→Ｔ→Ｂ→Ａ→Ｂ→Ｏ→Ｐ→Ｎ→Ｑというようなルートとなる。なお、図２１（Ａ）（Ｂ）においては、矢印Ａ→Ｂ→Ｔ→Ｓ→Ｔ→Ｂ→Ａ→Ｂ→Ｏ→Ｐ→Ｍ→Ｖのルートを示している。
【０１５４】
一方、図１７及び図２２（Ａ）において、第４ルートと同様、矢印ＰまたはＺに示すように、第１ステージ６０の下をくぐるようにして第３スロープ８３を直線的に流下しながら第２ステージに流入してきた遊技球は、固定片７６，７６にスライド片７５，７５が収納されていることにより、第２スロープ７１上を直線的に横切るようにして誘導部材５０の外部に落下することになり、従って始動入賞口１１に入賞することはない。
【０１５５】
つまり、この場合の遊技球のルート（以下、単に第５ルートともいう）は、図１７においてＡ→Ｂ→Ｔ→Ｓ→Ｔ→Ｂ→Ａ→Ｂ→Ｏ→Ｐ、またはＡ→Ｂ→Ｔ→Ｓ→Ｔ→Ｂ→Ａ→Ｂ→Ｘ→Ｚというようなルートとなる。なお、図２２（Ａ）（Ｂ）においては、前者のルート（矢印Ａ→Ｂ→Ｔ→Ｓ→Ｔ→Ｂ→Ａ→Ｂ→Ｏ→Ｐ）を示している。
【０１５６】
次に、図１７及び図２３（Ａ）において、第１ルートと同様、第１スロープ６４上を往復運動を繰り返し、その後転動する速度を弱め前壁６２に衝突などして第１スロープ６４上に不特定時間滞留した遊技球が、上記円状空間や落下溝５７，５７へ流入せずに、矢印ＣまたはＪに示すように、傾斜部６３，６３に流入したときには、矢印ＥまたはＫに示すように、第２スロープ７１を直線的に横切るようにしてスライド片７５，７５に衝突する。そして、スライド片７５，７５に衝突した遊技球は、第２スロープ７１の内側に跳ね返り、さらに第３スロープ８３，８３を通って中央凹面部８１または凹面部８２，８２に流入し、その後は、上述した第１ルートまたは第２、第３ルートと同じルートを通って始動入賞口１１に入賞する。
【０１５７】
つまり、この場合の遊技球のルート（以下、単に第６ルートともいう）は、図１７において矢印Ａ→Ｂ→Ｔ→Ｓ→Ｔ→Ｂ→Ａ→Ｃ→Ｅ→Ｇ→Ｕもしくは矢印Ａ→Ｂ→Ｔ→Ｓ→Ｔ→Ｂ→Ａ→Ｂ→Ｃ→Ｅ→Ｇ→Ｕ、または矢印Ａ→Ｂ→Ｔ→Ｓ→Ｔ→Ｂ→Ａ→Ｃ→Ｅ→Ｍ→Ｖもしくは矢印Ａ→Ｂ→Ｔ→Ｓ→Ｔ→Ｂ→Ａ→Ｂ→Ｃ→Ｅ→Ｍ→Ｖ、または矢印Ａ→Ｂ→Ｔ→Ｓ→Ｔ→Ｂ→Ａ→Ｃ→Ｅ→Ｎ→Ｑもしくは矢印Ａ→Ｂ→Ｔ→Ｓ→Ｔ→Ｂ→Ａ→Ｂ→Ｃ→Ｅ→Ｎ→Ｑというようなルートとなる。なお、図２３（Ａ）（Ｂ）においては、矢印Ａ→Ｂ→Ｔ→Ｓ→Ｔ→Ｂ→Ａ→Ｃ→Ｅ→Ｇ→Ｕ及び矢印Ａ→Ｂ→Ｔ→Ｓ→Ｔ→Ｂ→Ａ→Ｂ→Ｃ→Ｅ→Ｇ→Ｕのルートを示している。
【０１５８】
一方、図１７及び図２４（Ａ）において、第６ルートと同様、矢印ＥまたはＫに示すように、第２スロープ７１を直線的に横切るようにして流下してきた遊技球は、固定片７６，７６にスライド片７５，７５が収納されていることにより、そのまま第２スロープ７１から誘導部材５０の外部に落下することになり、従って始動入賞口１１に入賞することはない。
【０１５９】
つまり、この場合の遊技球のルート（以下、単に第７ルートともいう）は、図１７において矢印Ａ→Ｂ→Ｔ→Ｓ→Ｔ→Ｂ→Ａ→Ｃ→Ｅもしくは矢印Ａ→Ｂ→Ｔ→Ｓ→Ｔ→Ｂ→Ａ→Ｂ→Ｃ→Ｅというようなルートとなる。なお、図２４（Ａ）（Ｂ）においては、両者のルートを示している。
【０１６０】
次に、図１７及び図２５（Ａ）において、第１ルートと同様、第１スロープ６４上を往復運動を繰り返し、その後転動する速度を弱め前壁６２に衝突などして第１スロープ６４上に不特定時間滞留した遊技球が、上記円状空間や落下溝５７，５７へ流入せずに、矢印ＤまたはＩに示すように、第１スロープ６４の両端部をユーターンするようにして第２スロープ７１に流入したときには、該遊技球は、第２スロープ７１を斜めに横切るようにしてスライド片７５，７５に衝突する。そして、スライド片７５，７５に衝突した遊技球は、第２スロープ７１の内側に跳ね返り、さらに第３スロープ８３，８３を通って中央凹面部８１または凹面部８２，８２に流入し、その後は、上述した第１ルートまたは第２、第３ルートと同じルートを通って始動入賞口１１に入賞する。
【０１６１】
つまり、この場合の遊技球のルート（以下、単に第８ルートともいう）は、図１７において矢印Ａ→Ｂ→Ｔ→Ｓ→Ｔ→Ｂ→Ｄ→Ｇ→Ｕもしくは矢印Ａ→Ｂ→Ｔ→Ｓ→Ｔ→Ｂ→Ａ→Ｂ→Ｄ→Ｇ→Ｕ、または矢印Ａ→Ｂ→Ｔ→Ｓ→Ｔ→Ｂ→Ｄ→Ｍ→Ｖもしくは矢印Ａ→Ｂ→Ｔ→Ｓ→Ｔ→Ｂ→Ａ→Ｂ→Ｄ→Ｍ→Ｖ、または矢印Ａ→Ｂ→Ｔ→Ｓ→Ｔ→Ｂ→Ｄ→Ｎ→Ｑもしくは矢印Ａ→Ｂ→Ｔ→Ｓ→Ｔ→Ｂ→Ａ→Ｂ→Ｄ→Ｎ→Ｑというようなルートとなる。なお、図２５（Ａ）（Ｂ）においては、矢印Ａ→Ｂ→Ｔ→Ｓ→Ｔ→Ｂ→Ｄ→Ｇ→Ｕ及び矢印Ａ→Ｂ→Ｔ→Ｓ→Ｔ→Ｂ→Ａ→Ｂ→Ｄ→Ｇ→Ｕのルートを示している。
【０１６２】
一方、図１７及び図２６（Ａ）において、第８ルートと同様、矢印ＤまたはＩに示すように、第１スロープ６４の両端部をユーターンするようにして第２スロープ７１に流下してきた遊技球は、固定片７６，７６にスライド片７５，７５が収納されていることにより、そのまま第２スロープ７１を斜めに横切るようにして誘導部材５０の外部に落下することになり、従って始動入賞口１１に入賞することはない。
【０１６３】
つまり、この場合の遊技球のルート（以下、単に第９ルートともいう）は、図１７において矢印矢印Ａ→Ｂ→Ｔ→Ｓ→Ｔ→Ｂ→Ｄもしくは矢印Ａ→Ｂ→Ｔ→Ｓ→Ｔ→Ｂ→Ａ→Ｂ→Ｄというようなルートとなる。なお、図２６（Ａ）（Ｂ）においては、両者のルートを示している。
【０１６４】
なお、上記第４、第６、第８ルート以外にも、発生する頻度は少ないものの遊技球が始動入賞口１１に入賞するルートは種々あり、例えば、第６ルートにおいて、スライド片７５，７５に衝突し、第２スロープ７１に跳ね返った遊技球が、第３ステージ８０に流入することなく第２スロープ７１上を矢印Ｆ→Ｌあるいは矢印Ｌ→Ｆというように往復運動を繰り返し、その後転動する速度を弱めながら第２スロープ７１上に不特定時間滞留した後、矢印ＶまたはＵもしくはＱに示すように、第２スロープ７１を直線的に横切るようにして誘導板７２から誘導部材５０の外部に落下して始動入賞口１１に入賞するルートがある。
【０１６５】
つまり、この場合の遊技球のルートは、図１７において矢印Ａ→Ｂ→Ｔ→Ｓ→Ｔ→Ｂ→Ａ→Ｃ→Ｅ→Ｆ→Ｌ→Ｆ→Ｌ→Ｕもしくは矢印Ａ→Ｂ→Ｔ→Ｓ→Ｔ→Ｂ→Ａ→Ｂ→Ｃ→Ｅ→Ｆ→Ｌ→Ｆ→Ｌ→Ｕ、または矢印Ａ→Ｂ→Ｔ→Ｓ→Ｔ→Ｂ→Ａ→Ｃ→Ｅ→Ｆ→Ｌ→Ｆ→Ｌ→Ｖもしくは矢印Ａ→Ｂ→Ｔ→Ｓ→Ｔ→Ｂ→Ａ→Ｂ→Ｃ→Ｅ→Ｆ→Ｌ→Ｆ→Ｌ→Ｖ、または矢印Ａ→Ｂ→Ｔ→Ｓ→Ｔ→Ｂ→Ａ→Ｃ→Ｅ→Ｆ→Ｌ→Ｆ→Ｌ→Ｑもしくは矢印Ａ→Ｂ→Ｔ→Ｓ→Ｔ→Ｂ→Ａ→Ｂ→Ｃ→Ｅ→Ｆ→Ｌ→Ｆ→Ｌ→Ｑというようなルートとなる。
【０１６６】
また、例えば、第８ルートにおいて、第１スロープ６４の両端部をユーターンするようにして第２スロープ７１に流入した遊技球が、スライド片７５，７５に衝突しても第３ステージ８０に流入することなく、第２スロープ７１上を往復運動して不特定時間滞留した後、矢印ＶまたはＵもしくはＱに示すように、第２スロープ７１を直線的に横切るようにして誘導板７２から誘導部材５０の外部に落下して始動入賞口１１に入賞するルートがある。さらにまた、例えば、第８ルートにおいて、第１スロープ６４の両端部をユーターンするようにして第２スロープ７１に流入した遊技球が、スライド片７５，７５に衝突することなく、つまり第３ステージ８０に流入することなく、第２スロープ７１上をスライド片７５，７５に沿うように往復運動して不特定時間滞留した後、第２スロープ７１を斜めに横切るようにして誘導板７２から誘導部材５０の外部に落下して始動入賞口１１に入賞するルートがある。
【０１６７】
つまり、これらの場合の遊技球のルートは、図１７において矢印Ａ→Ｂ→Ｔ→Ｓ→Ｔ→Ｂ→Ｄ→Ｆ→Ｌ→Ｆ→Ｌ→Ｕもしくは矢印Ａ→Ｂ→Ｔ→Ｓ→Ｔ→Ｂ→Ａ→Ｂ→Ｄ→Ｆ→Ｌ→Ｆ→Ｌ→Ｕ、または矢印Ａ→Ｂ→Ｔ→Ｓ→Ｔ→Ｂ→Ｄ→Ｆ→Ｌ→Ｆ→Ｌ→Ｖもしくは矢印Ａ→Ｂ→Ｔ→Ｓ→Ｔ→Ｂ→Ａ→Ｂ→Ｄ→Ｆ→Ｌ→Ｆ→Ｌ→Ｖ、または矢印Ａ→Ｂ→Ｔ→Ｓ→Ｔ→Ｂ→Ｄ→Ｆ→Ｌ→Ｆ→Ｌ→Ｑもしくは矢印Ａ→Ｂ→Ｔ→Ｓ→Ｔ→Ｂ→Ａ→Ｂ→Ｄ→Ｆ→Ｌ→Ｆ→Ｌ→Ｑというようなルートとなる。
【０１６８】
なお、スライド片７５，７５の状態は、上記した第４〜９ルートに係わるスライド片７５，７５の状態以外にも種々あるが、ここでの説明は省略する。また、上記した誘導部材５０にかかる遊技球の流れにおいては、左側の誘導路５２から第１ステージ６０に導出された遊技球について説明したが、右側の誘導路５２から第１ステージ６０に導出された遊技球の流れについては、上記に準じるものとし、ここでの説明は省略する。
【０１６９】
なお、以上説明した誘導部材５０にかかる遊技球の流れは、その代表的なものを例示しただけにすぎず、その他の態様を排除するものではない。即ち、誘導部材５０にかかる遊技球の流れは、上述した以外にも、そのときの遊技球の方向、速度、スピン等の条件によって様々な態様を示すことになる。
【０１７０】
以上説明したように、本実施形態の遊技機１における遊技球の誘導装置は、導入口５１，５１、誘導路５２，５２、誘導部材５０より構成されて特別図柄表示装置６に上記中心線Ｄ−Ｄに対して互いに対称状に一体的に設けられ、さらに誘導部材５０は、第１ステージ６０、第２ステージ７０、第３ステージ８０、奥壁５６、下壁９１より形成され、各ステージ６０、７０、８０の奥行き方向には、前方を開放する空間が形成される２階建て構造になっている。導入口５１，５１は、遊技盤２１上（遊技領域５）を落下してくる遊技球を受入れて誘導路５２，５２へ導出し、誘導路５２，５２は、その内部にテーパー状に設けられた落下通路９５，９５により、該受入れた遊技球に所定の方向性と速度を与えて放出口５３，５３から誘導部材５０へと、当該遊技球を導出するようになっている。そして、誘導部材５０に流入した遊技球は、その所定の方向性と速度により、稜線を有する勾配が形成された第１スロープ６４（第１ステージ６０）上を規則的に左右に往復運動しながら転動する速度を弱めていき、第１スロープ６４上の前壁６２に衝突したりして不特定時間滞留した後、切欠６１と奥壁５６の誘導溝５５とで形成する第１スロープ６４の中央山頂に形成された円状空間や、第１スロープ６４の後ろ側且つ誘導溝５５の左右両側に幅広に形成された落下溝５７，５７から第３ステージ８０に、あるいは第１スロープ６４の両端部や傾斜部６３，６３から第２ステージ７０に移動するようになっている。
【０１７１】
そして、切欠６１と誘導溝５５とで形成された円状空間から第３ステージ８０に流入した遊技球または落下溝５７，５７から第３ステージ８０に流入した遊技球の一部は、中央凹面部８１あるいは凹面部８２，８２のどちらかに流入し、中央凹面部８１に流入した遊技球は、第２スロープ７１の誘導板７２の中央から落下したとき、始動入賞口（電動チューリップ）１１の左右方向の中央（羽根１１ａ，１１ａ間の中央）と、中央凹面部８１の左右方向の中央とが図４に示す中心線Ｄ−Ｄ上に存在するように、中央凹面部８１に対し始動入賞口（電動チューリップ）１１が、嵌合凸部７７と嵌合凹部３６とにより位置規制され遊技盤２１に極めて高い精度で取り付けられていることにより、高い確率にて始動入賞口１１に入賞するようになっており、一方、凹面部８２，８２に流入した遊技球は、第２スロープ７１の誘導板７２の側方から落下したとき、確率は高くないものの始動入賞口１１に入賞するようになっている。さらに、下壁９１には、始動入賞口１１の上方に、その突出角度を調整することにより、始動入賞口１１への入賞確率を任意に変更することができる障害釘９４，９４を設けることが可能な開口部９３が設けられている。
【０１７２】
また、落下溝５７，５７から第３ステージ８０に流入した遊技球のうち、中央凹面部８１あるいは凹面部８２，８２の何れにも流入しなかった遊技球、あるいは傾斜部６３，６３から第２ステージ７０に流入した遊技球は、第２スロープ７１を直線的に転動して誘導部材５０の外部に落下し、また、第１スロープ６４の両端部から第２ステージ７０に流入した遊技球は、所定の単一なアールにて形成された第２スロープ７１上を左右に移動しながら不特定時間滞留した後、第２スロープ７１を斜め前方等に転動して誘導部材５０の外部に落下するようになっている。
【０１７３】
しかして、第２スロープ７１の前端にはガイド部材９２，９２が突設されており、このガイド部材９２，９２は、自身を左右にスライドさせることで、任意に遊技球が落下する第２スロープ７１の前端位置を特定できるスライド片７５，７５が設けられている。従って、上記した落下溝５７，５７、傾斜部６３，６３及び第１スロープ６４の両端部から第２ステージ７０に流入した遊技球は、誘導部材５０の外部に落下するとき、スライド片７５，７５の状態によっては、該スライド片７５，７５に衝突して跳ね返り、再び誘導部材５０の内部を転動することになる。
【０１７４】
従って本実施形態の遊技機１における遊技球の誘導装置によれば、誘導部材５０の下壁９１に嵌合凸部７７と、始動入賞口（電動チューリップ）１１のベース板３５に嵌合凹部３６とが設けられているので、従来の誘導装置と始動入賞口（電動チューリップ）１１とを別個に遊技盤２１に取り付ける場合に比して、嵌合凸部７７に嵌合凹部３６を嵌合するだけで、遊技盤２１（誘導部材５０）に対し始動入賞口（電動チューリップ）１１を所望する位置に位置規制することができ、その結果、中央凹面部８１に対し始動入賞口（電動チューリップ）１１を極めて高い精度、且つ容易に遊技盤２１に取り付けることが可能となり、従って切欠６１と誘導溝５５とにより形成される略円状空間から中央凹面部８１を通って第２ステージ７０から落下する遊技球を、高い確率にて始動入賞口（電動チューリップ）１１に入賞させることが可能となる。
【０１７５】
始動入賞口（電動チューリップ）１１への遊技球の入賞は、遊技者にとって大当りを獲得するための重要な条件であり、従い、遊技者は、中央凹面部８１に遊技球が流入した場合には、極めて大きな期待を持つことができ、その結果、遊技の趣向が増大し、遊技性が向上する。つまり、ホールが所望する誘導装置から始動入賞口１１への遊技球の入賞確率を想定通り確実に実行することができ、即ち誘導装置の所期の仕様性能を確実に発揮することができ、ホールにとって使い勝手の良い誘導装置を提供することができる。
【０１７６】
また、ベース板３５の形状、即ち嵌合凸部７７に嵌合するベース板３５に設ける嵌合凹部３６の形状のみ同一に形成することで、様々な形状や仕様の始動入賞口１１を選択することが可能となり、遊技機１の設計の自由度が向上すると共に、例え遊技盤２１に始動入賞口１１を取り付けた後でも、容易に他の始動入賞口１１に変更することが可能となり、その結果、ホールにとってさらに使い勝手の良い誘導装置を提供することができる。
【０１７７】
また、下壁９１において、始動入賞口（電動チューリップ）１１の上方には、遊技盤２１に障害釘９４，９４を植設可能な開口部９３を設けたので、遊技機１遊技盤２１におけるゲージ構成の自由度が向上し、その結果、遊技機１の設計が容易となる。さらに、遊技盤２１に対する障害釘９４，９４の突出角度を調整することにより、ホールが所望する誘導装置から始動入賞口１１への遊技球の入賞確率を任意に変更することができる。
【０１７８】
また、誘導路５２，５２の放出口５３，５３より放出され第１ステージ６０に流入した遊技球は、第１ステージ６０に形成された稜線を有する勾配により、その挙動に躍動感を与えられながら様々な態様にて第２ステージ７０や第３ステージ８０に導出され、さらに第２ステージ７０または第３ステージ８０に導出された遊技球は、第２ステージ７０や第３ステージ８０のアール構造や突起構造等によりその挙動を多種多様に変化させながら、不特定時間第２ステージ７０または第３ステージ８０に滞留可能になっているので、遊技者は、各ステージ６０、７０、８０における遊技球の挙動を十分に楽しむことができる。
【０１７９】
さらに、第３ステージ８０の中央凹面部８１から誘導部材５０の外部に落下する遊技球は、高い確率にて始動入賞口１１に入賞し、一方、第３ステージ８０の凹面部８２，８２や第３ステージ８０を通ることなく第２ステージ７０から誘導部材５０の外部に落下する遊技球は、ガイド部材９２，９２により、その一部は始動入賞口１１に入賞するようにしたので、始動入賞口１１に誘導されるチャンスが多くなり、遊技者は、遊技球の挙動から目を離すことなく、誘導部材５０上を移動する遊技球に最後まで期待することができ、遊技の趣向が増大する。
【０１８０】
特に、凹面部８２，８２は、その表面が二つの連続するアールＲ１，Ｒ１，Ｒ２，Ｒ２の曲面にて形成され、左右方向から転動してきた遊技球を中央凹面部８１に誘導しやすくなっているので、ガイド部材９２，９２（スライド片７５，７５）により、跳ね返って第２ステージ７０に流入した遊技球は、第２スロープ７１から第３ステージ８０に進入し、凹面部８２，８２を乗り越えて中央凹面部８１に到達して、最終的に始動入賞口１１へ入賞することが期待でき、その結果、遊技者は、なおさら誘導部材５０上を移動する遊技球に最後まで期待することができる。
【０１８１】
また、スライド片７５，７５は、第２スロープ７１の前端位置にて左右にスライド自在に設けられているので、スライド片７５，７５を調整することで、第２ステージ７０から落下する遊技球の始動入賞口１１への入賞確率を、任意に変更することができるようになり、従い、ホールにとって使い勝手が極めて良くなる。即ち、例えばホールが、新装開店の際に特別に当該誘導装置から始動入賞口への遊技球の入賞確率を高くしたいと所望したときには、それに即座に対応することが可能となり、さらに例えば、遊技機１は、入賞口等への入賞確率を変更するため、ホールの所望する角度によって遊技島に立設されるので、つまりホールの所望によって、垂直に立設されたり、わずかに寝かして（例えば２分〜４分５厘または０．５度〜１度）立設されたりするので、これが原因で当該誘導装置から始動入賞口への遊技球の入賞確率が想定外になったとしても、速やかに対応することが可能となる。つまり、遊技球の転動や移動等の挙動は、極めて微妙であり、従い遊技機１の立設される角度に極めて大きな影響を受けるのであるが、このように誘導装置からの遊技球の始動入賞口１１への入賞確率を任意に変更できるようにすることで、その影響を回避することができるようになる。その結果、ホールが所望する誘導装置から始動入賞口１１への遊技球の入賞確率が想定外になり、それによりホールにとって不利益が発生することを防止することができ、即ち例え遊技機の立設される角度が変更されても所期の仕様性能を維持することができる使い勝手の良い誘導装置を提供することができるようになる。
【０１８２】
また、第１スロープ６４の中央山頂箇所に、遊技球を第３ステージ８０に誘導するための切欠６１と誘導溝５５とで形成する円状空間を設けたので、即ち遊技球が、この円状空間へ流入することにより中央凹面部８１に誘導される確率が高く、従って始動入賞口１１に入賞する確率が高くなるので、遊技者は、この円状空間に遊技球が流入するか否かを期待しながら注意深く見守ることになり、さらに、第１スロープ６４の稜線を往復している遊技球は、この山頂付近で転動する速度が遅くなって滞留することが多いのであるが、当該円状空間は、第１スロープ６４の中央山頂箇所に設けられているので、従って、遊技者は、この山頂付近で遊技球が滞留した場合、つまり当該円状空間に遊技球が流入するか否かが際どい位置に遊技球が滞留した場合には、一喜一憂することができ、その結果、遊技の趣向が極めて増大し、遊技性が極めて向上する。
【０１８３】
また、第１スロープ６４の後ろ側には落下溝５７，５７を設け、第１スロープ６４の遊技球を後方に落下させて、第１ステージ６０をくぐるように誘導し、さらに、その一部の遊技球は、そのまま凹面部８２，８２に流入して始動入賞口１１に入賞するようにしたので、遊技球は、前後左右及び下方向へと移動し、その挙動に極めて大きな立体感と躍動感を与えられると共に、上記円状空間に流入しなかった遊技球にも始動入賞口１１に入賞するチャンスが与えられ、その結果、遊技の趣向が増大し、遊技性が向上する。
【０１８４】
また、誘導部材５０は、上記中心線Ｄ−Ｄに対して互いに対称状に設けられ、さらに、第１ステージ６０の山部６７と第２ステージ７０の第２スロープ７１とは、上記中心線Ｆ−Ｆに対し対称状に設けられて、両者は同一の単一なアール面にて形成され、さらにまた、第１ステージ６０の山部６７と第３ステージ８０の第３スロープ８３，８３とは、正面視すると、上記中心線Ｅ−Ｅに対し対称状に設けられて、両者は同一の単一なアール面にて形成され、即ち第１ステージ６０の山部６７と第２ステージ７０の第２スロープ７１と第３ステージ８０の第３スロープ８３，８３の三者は、同一の単一なアール面にて形成されている。つまり、各ステージ６０、７０、８０の主要な構成要素となる山部６７、第２スロープ７１、第３スロープ８３，８３が上下左右略対称状に設けられているので、従って、誘導部材５０は、その設計が容易となると共にその美観が高められ、且つ誘導部材５０上を転動する遊技球の流れを流麗にすることができ、その結果、誘導部材５０を開発する上でコストダウンになると共に、遊技者の遊技意欲をそそることができる。
【０１８５】
さらに、第３ステージ８０は、第１ステージ６０の山部６７と第２ステージ７０の第２スロープ７１とで形成される空間部８４に設けられるようにしたので、第３ステージ８０を設ける上で新たなスペースを必要とせずに既存のスペースを有効活用でき、従って、誘導部材５０は、その設計が合理的で効率が良く無駄のないものにすることができ、その結果、さらに誘導部材５０を開発する上でコストダウンになる。
【０１８６】
また、誘導部材５０に流入した遊技球は、第１スロープ６４（第１ステージ６０）上を規則的に左右に往復運動し後に、その挙動を不規則的に変化させて不特定時間滞留しつつ第１ステージ６０から第２ステージ７０や第３ステージ８０に移動し、最終的に第２ステージから転動して誘導部材５０の外部に落下するようにしたので、遊技者は、第１ステージ６０の流入直後の規則的な挙動から、不規則的な挙動へと遊技球の挙動が変化していくのを楽しむことができ、特に、第１スロープ６４（第１ステージ６０）上を規則的に左右に往復運動させることとなる誘導路５２，５２は、第１スロープ６４に臨む落下通路９５，９５の放出口５３，５３の位置を、切欠６１と傾斜部６３，６３とを避ける位置に形成したので、第１ステージ６０に流入直後の遊技球は、安定して第１ステージ６０上で滞留することができ、第１ステージ６０に流入してすぐ第２ステージ７０や第３ステージ８０に移動することがなく、その結果、遊技の趣向が増大し、遊技性が向上する。
【０１８７】
また、傾斜部６３，６３は、誘導部材５０上の遊技球の挙動が、全体的に左右方向かつ誘導部材５０の曲面構造に対応した動きとなるなかで、奥行方向に直線的な動きを創出し、従って、誘導部材５０上の遊技球の挙動に極めて大きな変化を与えることができ、その結果、遊技の趣向が増大し、遊技性が向上する。
【０１８８】
なお、本実施形態の遊技機１における遊技球の誘導装置では、上記したように第１ステージ６０から第３ステージ８０の中央凹面部８１及び凹面部８２，８２に遊技球を誘導するための誘導部材５０に設ける切欠６１及び誘導溝５５は、第１スロープ６４山頂の後部に単一に形成するようにしたが、この切欠６１及び誘導溝５５を形成する位置は、最終的に始動入賞口１１またはその他の入賞口に入賞する確率が高くなる位置であればどの位置であっても良く、さらにこの切欠６１及び誘導溝５５を複数設けるようにしても良い。例えば、第１スロープ６４の山頂箇所に加えもしくは第１スロープ６４の山頂箇所に変えて、第１スロープ６４山頂と第１スロープ６４の両端部の中間にそれぞれ形成し、３箇所もしくは２箇所設けるようにしても良い。このようにすることにより、さらに始動入賞口１１またはその他の入賞口に入賞する確率が高くなるので、遊技者にとって魅力ある遊技を提供でき、その結果、遊技の趣向が増大し、遊技性が向上する。
【０１８９】
また、切欠６１は、上記したようにその上下方向における半円周状の縁面を略垂直に形成したが、これに変えて、該半円周状の縁面を略すり鉢状のような傾斜を設けて形成するようにしても良い。このようにすることにより、さらに遊技球を切欠６１に誘導する確率が高くなると共に、切欠６１を通過する遊技球の挙動が微妙に変化するので、その結果、遊技の趣向が増大し、遊技性が向上する。
【０１９０】
また、ガイド部材９２，９２は、上記したように固定片７６，７６とスライド片７５，７５を備えるようにしたが、これは限定することなく、スライド片７５，７５のみにして固定片７６，７６を省略するようにしても良い。そして、この場合には、スライド片７５，７５の左右方向への移動は、本実施形態のようなスライド式でなく、適宜手段にて着脱自在にするようにすれば良い。なお、ガイド部材９２，９２は、本実施形態においては２つ設けるようにしたが、その数は限定することなく、例えば１つにしても良いし、３つ以上にしても良い。このようにすると、さらに誘導部材５０から外部に落下するときの遊技球の態様を多種多様に変化させることができるようになる。
【０１９１】
また、本実施形態の遊技機１における遊技球の誘導装置は、弾性部材にて形成されるガイド部材９２，９２、即ち固定片７６，７６とスライド片７５，７５以外の材質は特に限定するものではなく、例えばエポキシ樹脂等の熱硬化性樹脂にてその全体を形成しても良く、さらに、その一部のみを違う材質、例えば、第１スロープ６４や第２スロープ７１の表面に金属メッキを施したりしても良い。このように、第１スロープ６４や第２スロープ７１の表面に金属メッキを施すと、第１スロープ６４や第２スロープ７１上を左右に往復運動するときの遊技球の転動が円滑になり、遊技性が向上すると共に、ブリッジ等の球詰まりというような不測の事態を防止することができ、所期の性能を維持することができる。
【０１９２】
また、本実施形態の遊技機１における遊技球の誘導装置は、上記したように第２スロープ７１の前端にガイド部材９２，９２を設けるようにしたが、これに変えて次のようにしても良い。即ち第２スロープ７１の下部に、第２スロープ７１から誘導部材５０の外部に向かって落下する遊技球を衝突させて、再び誘導部材５０の内部に流入させたり、あるいは、その流下する角度を変更させる手段を設けるようにしても良い。この手段としては、種々考えられるが、例えば、略円柱状の弾性部材にて形成された部材を前方向かって複数突設するような手段等が考えられる。このようにすると、第２ステージ７０から誘導部材５０の外部に落下する遊技球は、この手段により、その一部は始動入賞口１１に入賞するようになるので、遊技者は、誘導部材５０の外部に落下する全ての遊技球において最後まで期待することができ、即ち、遊技者は、誘導部材５０に流入した遊技球が、如何なる態様にて誘導部材５０の外部に落下しても、始動入賞口１１への入賞を期待することができ、その結果、始動入賞口１１への遊技球の入賞する確率が上昇して遊技の趣向が増大し、遊技性が極めて向上する。
【０１９３】
なお、上記手段は、突設した略円柱状の弾性部材を、その左右方向に適宜手段にてスライド自在に設けるようにしても良く、あるいは前方に突出する角度を適宜手段にて自在に変更可能に設けるようにしても良い。このようにすると、誘導装置の外部から落下する遊技球の始動入賞口１１への入賞確率を、任意に変更することができるようになり、本実施形態のガイド部材９２，９２と同等の効果を得ることが可能となる。
【０１９４】
あるいは、上記ガイド部材９２，９２に変えて次のようにしても良い。即ち第２スロープ７１の前端に、ガイド部材９２，９２と同様な、第２ステージ７０から誘導部材５０の外部に落下する遊技球を、衝突させて跳ね返したり流下する角度を変更したりするための障害壁を設けるようにし、この障害壁を、例えば遊技球の大きさとほぼ同様な大きさに形成し、第２スロープ７１の左端と右端の間をモータ等を利用して自動で定期的且つ規則的に往復運動する移動制御が実行される、即ち可動部材とする。このようにすると、遊技球が第２ステージ７０から誘導部材５０の外部に落下するとき、一部の遊技球は、この往復運動している障害壁に衝突するので、衝突後の当該遊技球の動きが不規則となり、つまり遊技者の予期できない態様にて遊技球が始動入賞口１１に入賞したりしなかったりすることになり、さらに、遊技者は、この定期的且つ規則的に往復運動している障害壁の位置を確認しつつ、遊技球が始動入賞口１１に入賞しやすいタイミングにて打球発射装置を操作して遊技球を遊技領域５に発射することも可能となり、つまり遊技者個々の遊技への技術介入が可能となり、即ち、この障害壁を誘導部材５０（第２ステージ７０）に設けることで、偶然性と遊技者個々の技量の両者により、遊技球の始動入賞口１１への入賞確率が変化することとなり、その結果、遊技の趣向が極めて増大し、遊技性が極めて向上する。
【０１９５】
また、本実施形態の遊技機１における遊技球の誘導装置は、上記したように遊技盤２１上の遊技領域５を落下する過程において、導入口５１，５１に入球した遊技球は、誘導路５２，５２に導出され、自然落下によりこの誘導路５２，５２の放出口５３，５３から誘導部材５０（第１ステージ６０）に導出されるようにしたが、これは、次のようにしても良い。即ち、この誘導路５２，５２に導入口５１，５１から導出された遊技球を誘導路５２，５２の落下通路９５内に停留することができるソレノイド等で構成された停留手段を設け、該停留手段を上記した保留ＬＥＤ２５の保留記憶の点灯数（最高４個）に応じて制御することで、落下通路９５内の遊技球を放出口５３，５３から誘導部材５０（第１ステージ６０）に導出するようにしても良い。
【０１９６】
例えば、保留ＬＥＤ２５の保留記憶の点灯数が３個以上になったとき、停留手段をオンして、それ以降、遊技球を放出口５３，５３から誘導部材５０（第１ステージ６０）に導出することを阻止し、一方、保留ＬＥＤ２５の保留記憶の点灯数が２個以下になったとき、停留手段をオフして、それ以降、遊技球を放出口５３，５３から誘導部材５０（第１ステージ６０）に導出することを許可するようにする。このようにすると、保留ＬＥＤ２５の保留記憶の点灯数が４個になっている状態で、さらに始動入賞口１１へ遊技球が入賞してしまういわゆる保留記憶のオーバーフローを阻止することができ、つまり、誘導部材５０に導出された遊技球は、誘導部材５０に導出されない遊技球、即ち遊技領域５を普通に落下する遊技球よりも高い確率で始動入賞口１１へ入賞するようになっているので、保留記憶の点灯数が３または４個の状態で複数の遊技球が誘導部材５０に導出されたときは、保留記憶がオーバーフローする確率が高くなってしまうのであるが、この停留手段の制御により保留記憶のオーバーフローを効果的に阻止することができ、その結果、遊技者の保留記憶のオーバーフローを阻止するためのいわゆる止め打ち（打球発射装置を操作して間歇的に遊技球を遊技領域５に発射する打ち方）を防止し、遊技機１の稼働率を向上させることができるという顕著な効果を奏する。
【０１９７】
また、本実施形態の遊技機１における遊技球の誘導装置は、上記したように特別図柄表示装置６に一体的に設けるようにしたが、これは限定するものではなく、他の遊技盤２１上の遊技領域５に設けられる遊技装置、例えば、いわゆる役物と呼ばれる入賞装置や風車等の振り分け装置、あるいは停留装置等に設けるようにしても良く、さらに、当該誘導装置は始動入賞口１１の上部に設け、この誘導装置から外部に放出した遊技球を始動入賞口１１に誘導するようにしたが、これは始動入賞口１１以外の遊技装置、例えば、大入賞口７や普通図柄作動ゲート１９等の上部に設けるようにしても良い。そして、これら始動入賞口１１以外の遊技装置に遊技球を誘導する場合においても、始動入賞口１１と同様、遊技盤２１（誘導部材５０）に対し、これらの遊技装置を上記した嵌合凸部７７及び嵌合凹部３６のような位置規制手段にて取り付けるようにすれば良い。
【０１９８】
また、本実施形態の遊技機１における遊技球の誘導装置は、上記したように始動入賞口１１と誘導部材５０とをそれぞれ別体に設けるようにしたが、これは始動入賞口１１を誘導部材５０の下壁９１に一体的に設けるようにし、ベース板３５を省略するようにしても良い。このようにしても、始動入賞口１１を遊技盤２１に対し、極めて高い精度で且つ極めて容易に取り付けることが可能となる。
【０１９９】
さらに、本実施形態の遊技機１における遊技球の誘導装置では、上記したように下壁９１の下端を略矩形状に切り欠いた切欠部７９と、該切欠部７９の中央から下向きに突出した嵌合凸部７７とを形成し、この切欠部７９及び嵌合凸部７７に、該切欠部７９及び嵌合凸部７７に整合した形状の始動入賞口（電動チューリップ）１１のベース板３５及び嵌合凹部３６を嵌合して、始動入賞口（電動チューリップ）１１の位置を規制して遊技盤２１に取り付けるようにしたが、この始動入賞口（電動チューリップ）１１を遊技盤２１の所定位置に取り付けるための位置規制手段は次のようにしても良い。
【０２００】
即ち図２７乃至図３０は、位置規制手段の他の実施形態を示す始動入賞口（電動チューリップ）１１，１８１，１８２が取り付けられたときの誘導部材１９１，１９２，１９３，１９４の正面図である。なお、ここでの説明では、前述した実施形態と同様な構成部材や装置等はそれに準ずると共に図において同じ符号を付し、詳しい説明は省略する。
【０２０１】
まず、図２７に示すように、下壁１０６の下端を水平状に形成し、その水平状に形成された下壁１０６下端の中央から下向きに嵌合凸部７７を突出し、上記した切欠部７９を省略するようにしても良い。この場合においては、ベース板３５、嵌合凹部３６及び嵌合凸部７７の構成は、前述した実施形態と同様であり、従って、嵌合凸部７７に嵌合凹部３６を嵌合し、下壁１０６の下辺にベース板３５の上辺全てを当接し、誘導部材１９１に対し始動入賞口（電動チューリップ）１１を位置規制して遊技盤２１に取り付けるようにすれば良い。
【０２０２】
また、図２８に示すように、下壁１０７の下端を、略矩形状に切り欠いた切欠部１５５と、さらにこの切欠部１５５の中央から上向きに突出する嵌合凹部１６２を切り欠いて形成し、一方、ベース板１４２には、その上端の中央から上向きに嵌合凸部１５２を突出して形成するようにしても良い。この場合においては、前述した実施形態と嵌合凸部１５２及び嵌合凹部１６２が逆方向に形成されると共に、嵌合凸部１５２がベース板１４２に、嵌合凹部１６２が下壁１０７にそれぞれ形成されており、従って、嵌合凹部１６２に嵌合凸部１５２を嵌合し、下壁１０７の下辺にベース板１４２の上辺全て及び左辺と右辺の一部とを当接し、誘導部材１９２に対し始動入賞口（電動チューリップ）１８１を位置規制して遊技盤２１に取り付けるようにすれば良い。
【０２０３】
また、図２９に示すように、下壁１０８の下端を、略矩形状に切り欠いた切欠部１５６を形成し、前述した嵌合凸部７７を省略するようにしても良い。この場合においては、ベース板１４３の上端に設けられる前述した嵌合凹部３６も省略され、従って、切欠部１５６にベース板１４３の上部を嵌合し、下壁１０８の下辺にベース板１４３の上辺全て及び左辺と右辺の一部とを当接し、誘導部材１９３に対し始動入賞口（電動チューリップ）１８２を位置規制して遊技盤２１に取り付けるようにすれば良い。
【０２０４】
また、図３０に示すように、下壁１０９の下端を、水平状に形成すると共に、その水平状に形成された下壁１０９下端の左側から下向きに位置決め凸部１７０を突出し、前述した嵌合凸部７７を省略するようにしても良い。この場合においては、図２９に示した実施形態と同様に、ベース板１４３の上端に設けられる前述した嵌合凹部３６も省略され、従って、位置決め凸部１７０の右辺にベース板１４３の左辺の一部を、下壁１０９の下辺にベース板１４３の上辺全てを当接し、誘導部材１９４に対し始動入賞口（電動チューリップ）１８２を位置規制して遊技盤２１に取り付けるようにすれば良い。
【０２０５】
以上に説明した図２７乃至図３０に示す、始動入賞口（電動チューリップ）１１，１８１，１８２を誘導部材１９１，１９２，１９３，１９４に対し、遊技盤２１の所定位置に取り付けるための位置規制手段の他の実施形態においても、前述した実施形態と同様な効果を奏する。さらに、前述した実施形態の位置規制手段及び始動入賞口（電動チューリップ）１１を遊技盤２１に取り付けるための取付手段の他の実施形態として図３１乃至図３４に示すようにしても良い。
【０２０６】
即ち図３１は、位置規制手段及び取付手段の他の実施形態示す始動入賞口（電動チューリップ）１８３が取り付けられたときの誘導部材１９５の正面図、図３２において、（Ａ）（Ｂ）（Ｃ）は始動入賞口（電動チューリップ）１８３を反時計回りに略９０度回転したときの正面図、右側面図、背面図、図３３において、（Ａ）は図３２（Ａ）におけるＪ−Ｊ断面図、（Ｂ）は図３２（Ａ）におけるＫ−Ｋ断面図、図３４において、（Ａ）は下壁１１０の部分正面図、（Ｂ）は図３４（Ａ）におけるＬ−Ｌ断面図である。なお、図３３において、羽根１１ａ、本体１１ｂ、入賞通路４２は、それらが内蔵する構成が省略されており、また、図３４において、１１０は、始動入賞口（電動チューリップ）１８３が遊技盤２１へ取り付けられる箇所に係わる下壁の一部分のみを示している。また、ここでの説明では、前述した実施形態と同様な構成部材や装置等はそれに準ずると共に図において同じ符号を付し、詳しい説明は省略する。
【０２０７】
図３１に示すように、誘導部材１９５に一体に設けられる下壁１１０は、その左右両側端は、上部の単一な直線と、その直線に続く大アールと、その大アールに続く小アールとにより、下方に向かうにつれて下壁１１０の左右方向の幅が狭まるように形成されており、さらに、下壁１１０の下端は、上記小アールの下端をつなぐ単一な水平の直線により形成されており、図に示す中心線Ｄ−Ｄに対し左右対称に形成されている。
【０２０８】
そして、下壁１１０の下部には、始動入賞口（電動チューリップ）１８３を位置規制して遊技盤２１に取り付けるための、図３４に示す円形状の切欠部１２０が穿設されている。しかして、下壁１１０には、この切欠部１２０に突出するように嵌合凸部１２１ａ，１２１ｂが設けられており、この嵌合凸部１２１ａ，１２１ｂは、後述する始動入賞口（電動チューリップ）１８３の嵌合凹部１０３ａ，１０３ｂとそれぞれ嵌合して始動入賞口（電動チューリップ）１８３を位置規制すると同時に遊技盤２１に取り付けるための主要部材であり、略円周の１／４の長さで薄板（下壁１１０の肉厚の略１／３程度）の円弧状に弾性部材にて形成されている。図３４に示すように、嵌合凸部１２１ａは、切欠部１２０の左下に、嵌合凸部１２１ｂは、切欠部１２０の右上に、それぞれ下壁１１０肉厚の中心から突出するように形成されており、さらに、嵌合凸部１２１ａの始端部１２２ａは終端部１２３ａより細く、嵌合凸部１２１ｂの始端部１２２ｂは終端部１２３ｂより細く、即ち終端部１２３ａから始端部１２２ａにかけて、及び終端部１２３ｂから始端部１２２ｂにかけて、嵌合凸部１２１ａ及び嵌合凸部１２１ｂの肉厚がそれぞれ僅かにテーパー状に形成されている。
【０２０９】
一方、始動入賞口（電動チューリップ）１８３は、前述した実施形態と同様の本体１１ｂ（羽根１１ａ，１１ａ、入賞通路４２）と駆動装置３９とがベース板１００の表裏面側にそれぞれ取り付けられて構成されており、このベース板１００は、上記した切欠部１２０と同様な円形状に形成されると共に、その肉厚は下壁１１０と同じ肉厚に形成されている。しかしてベース板１００は、その周縁に上記嵌合凸部１２１ａ，１２１ｂに対応して嵌合凹部１０３ａ，１０３ｂが設けられており、この嵌合凹部１０３ａ，１０３ｂは、下壁１１０の嵌合凸部１２１ａ，１２１ｂとそれぞれ嵌合して始動入賞口（電動チューリップ）１８３を位置規制すると同時に遊技盤２１に取り付けるための主要部材であり、略円周の１／４の長さで薄板凹状（下壁１１０と同じ肉厚）の円弧状に形成されている。なお、この嵌合凹部１０３ａ，１０３ｂの一端側には、嵌合凸部１２１ａ，１２１ｂの始端部１２２ａ，１２２ｂと当接して始動入賞口（電動チューリップ）１８３を位置規制するための壁部１０５ａ，１０５ｂがそれぞれ設けられており、さらに、この嵌合凹部１０３ａ，１０３ｂにおいて、嵌合凸部１２１ａ，１２１ｂが直接嵌入することとなる切り欠かれて形成された凹部箇所の大きさは、始端部１２２，１２２ｂより大きく且つ終端部１２３ａ，１２３ｂより小さいように形成されている。
【０２１０】
また、ベース板１００周縁の裏面側であって嵌合凹部１０３ａ，１０３ｂの間には、溝部１０２ａ，１０２ｂが設けられており、この溝部１０２ａ，１０２ｂは、駆動装置３９及び入賞通路４２を切欠部１２０に挿通して、始動入賞口（電動チューリップ）１８３を下壁１１０（遊技盤２１）に取り付けるときの嵌合凸部１２１ａ，１２１ｂに対する逃げであり、略円周の１／４の長さでベース板１００の肉厚の略２／３程度に切り欠かれて円弧状に形成されている。さらに、図３１において、ベース板１００の中央下側、つまり本体１１ｂの下側には、つまみ１０１が前方に本体１１ｂの肉厚よりも僅かに小さい長さで突設されており（図３２（Ｂ）、図３３（Ｂ）参照）、このつまみ１０１は、駆動装置３９及び入賞通路４２を切欠部１２０に挿通して、始動入賞口（電動チューリップ）１８３を下壁１１０（遊技盤２１）に取り付けるとき、当該始動入賞口（電動チューリップ）１８３を回動させて嵌合凹部１０３ａ，１０３ｂを嵌合凸部１２１ａ，１２１ｂに嵌脱させるためのもので、円柱状に形成されている。このようにつまみ１０１が本体１１ｂの下側で、且つ本体１１ｂの肉厚より小さく形成されていると、遊技球が衝突することがほとんど無く、遊技に影響することがない。
【０２１１】
なお、図３４中、１３０は、遊技盤２１には、駆動装置３９及び入賞通路４２を挿通するためのルータであり、このルータ１３０は、始動入賞口（電動チューリップ）１８３が回動可能なように駆動装置３９及び入賞通路４２の長辺よりも大きく形成されている。
【０２１２】
このように構成される始動入賞口（電動チューリップ）１８３を遊技盤２１に取り付けるには、図３２（Ａ）に示すように、まず、始動入賞口（電動チューリップ）１８３を反時計回りに略９０度回転させた状態で、ベース板１００の裏面側に形成されている駆動装置３９及び入賞通路４２を切欠部１２０及びルータ１３０に挿通する。そして、ベース板１００の溝部１０２ａ，１０２ｂが嵌合凸部１２１ａ，１２１ｂに当接するまで駆動装置３９及び入賞通路４２を切欠部１２０及びルータ１３０に挿通したら、その状態からつまみ１０１を摘んで、始動入賞口（電動チューリップ）１８３を図３２（Ａ）に示す矢印Ｒのように、時計回りに壁部１０５ａ，１０５ｂがそれぞれ始端部１２２ａ，１２２ｂに当接するまで略９０度回転させて、嵌合凹部１０３ａ，１０３ｂを嵌合凸部１２１ａ，１２１ｂに嵌合させれば良い。この際、嵌合凹部１０３ａ，１０３ｂは、嵌合凸部１２１ａ，１２１ｂの始端部１２２ａ，始端部１２２ｂから嵌合していき、始動入賞口（電動チューリップ）１８３の回動に伴って、最終的に壁部１０５ａ，１０５ｂが始端部１２２ａ，１２２ｂに当接することになるが、嵌合凸部１２１ａ，１２１ｂは、上記したように、弾性部材で形成されると共に、終端部１２３ａ，１２３ｂから始端部１２２ａ，１２２ｂにかけてそれぞれテーパー状に形成され、一方、嵌合凹部１０３ａ，１０３ｂは、その凹部箇所の大きさが、始端部１２２，１２２ｂより大きく且つ終端部１２３ａ，１２３ｂより小さいように形成されているので、始動入賞口（電動チューリップ）１８３が回転摺動するにつれて、嵌合凹部１０３ａ，１０３ｂと嵌合凸部１２１ａ，１２１ｂとの嵌合状態がより強固なものになっていき、そして壁部１０５ａ，１０５ｂが始端部１２２ａ，１２２ｂに当接したときには、始動入賞口（電動チューリップ）１８３は、所定の位置に位置規制されると同時に下壁１１０に嵌着され、遊技盤２１（誘導部材１９５）に対し強固に取り付けられることになる。
【０２１３】
そして、さらに始動入賞口（電動チューリップ）１８３を遊技盤２１に強固に取り付けたい場合には、ベース板１００の溝部１０２ａまたは溝部１０２ｂの何れか一方の所定の１箇所のみにビス穴を設け、１本のビスにて始動入賞口（電動チューリップ）１８３を遊技盤２１に補完的に固定するようにしても良い。このようにすると、遊技球が始動入賞口（電動チューリップ）１８３に衝突したり、不測の振動等により始動入賞口（電動チューリップ）１８３の遊技盤２１に対する取り付け状態が緩むことがなく、簡便な作業で始動入賞口（電動チューリップ）１８３を遊技盤２１に対し強く固定することが可能となる。
【０２１４】
なお、始動入賞口（電動チューリップ）１８３を遊技盤２１に取り付けた後で、他の始動入賞口等に変更したいときには、始動入賞口（電動チューリップ）１８３をつまみ１０１にて反時計回りに略９０度回動させ、駆動装置３９及び入賞通路４２を切欠部１２０及びルータ１３０から抜脱することで、始動入賞口（電動チューリップ）１８３を取り外すようにすれば良い。
【０２１５】
従ってこの実施形態によれば、嵌合凹部１０３ａ，１０３ｂを嵌合凸部１２１ａ，１２１ｂに嵌合するというワンタッチな操作だけで始動入賞口（電動チューリップ）１８３が下壁１１０に嵌着されることになり、即ち遊技盤２１（誘導部材１９５）に対し始動入賞口（電動チューリップ）１８３を所望する位置に位置規制すると同時に取り付けることができ、その結果、始動入賞口（電動チューリップ）１８３を極めて高い精度で、且つ極めて容易に遊技盤２１に取り付けることが可能となる。
【０２１６】
さらに、本実施形態の遊技機１における遊技球の誘導装置では、上記したように始動入賞口（電動チューリップ）１１の上方に位置し、遊技盤２１を露出させて障害釘９４，９４を植設するための開口部９３は、下壁９１に開口するように穿設して形成するようにしたが、この開口部９３は次のようにしても良い。
【０２１７】
即ち図３５及び図３６は、位置規制手段及び開口部９３の他の実施形態を示す誘導部材１９９の正面図であり、図３５は、始動入賞口（電動チューリップ）１８２が取り付けられていないときの誘導部材１９９の正面図、図３６は、始動入賞口（電動チューリップ）１８２が取り付けられたときの誘導部材１９９の正面図である。なお、ここでの説明では、前述した実施形態と同様な構成部材や装置等はそれに準ずると共に図において同じ符号を付し、詳しい説明は省略する。
【０２１８】
図３５中、１５７は切欠部であり、この切欠部１５７は、図に示すように、下壁１０４の下端中央から上方へ略矩形状に切り欠き、上記した開口部９３と切欠部７９とを合体するように形成する。そして、切欠部１５７の左右両縁部の略中央には、上記中心線Ｄ−Ｄに対して左右対称に位置決め凸部１６９，１６９を形成し、従って、この切欠部１５７において、位置決め凸部１６９，１６９より上部が、始動入賞口（電動チューリップ）１８２の上方に位置する障害釘９４，９４を遊技盤２１に植設可能な領域としての植設領域１５９であり、一方、位置決め凸部１６９，１６９より下部が、誘導部材１９９に対し始動入賞口（電動チューリップ）１８２を位置規制して遊技盤２１に取り付けるための位置規制手段としての位置規制領域１６０である。
【０２１９】
そして、この場合においては、上記図２９及び図３０に示した実施形態と同様に、前述した下壁９１の下端に設けられる嵌合凸部７７と、ベース板１４３の上端に設けられる嵌合凹部３６は省略され、従って、始動入賞口（電動チューリップ）１８２を遊技盤２１に取り付けるには、図３６に示すように、切欠部１５７の左右両縁にベース板１４３の左辺及び右辺の略上半部を当接し、その後、位置決め凸部１６９，１６９にベース板１４３の上辺の左右端部を当接するようにして始動入賞口（電動チューリップ）１８２を位置規制領域１６０に嵌合し、誘導部材１９９に対し始動入賞口（電動チューリップ）１８２を位置規制して遊技盤２１に取り付けるようにすれば良い。そして、このように始動入賞口（電動チューリップ）１８２を切欠部１５７の位置規制領域１６０に嵌合して遊技盤２１に取り付けると、切欠部１５７の上部には遊技盤２１の表面となる植設領域１５９が露出することになり、従って、この植設領域１５９に障害釘９４，９４を植設することが、即ち遊技盤２１に障害釘９４，９４を植設することが可能となる。
【０２２０】
以上に説明した図３５及び図３６に示す、始動入賞口（電動チューリップ）１８２を誘導部材１９９に対し、遊技盤２１の所定位置に取り付けるための位置規制手段の他の実施形態においても、前述した実施形態と同様な効果を奏する。さらに、この実施形態においては、上記した開口部９３と切欠部７９とを合体するように植設領域１５９と位置規制領域１６０とにより切欠部１５７が形成されているので、下壁１０４を形成する上で容易になると共に、下壁１０４を遊技盤２１に装着する際、即ち誘導部材１９９を遊技盤２１に装着する際の作業性が良くなる。
【０２２１】
つまり、上記したように開口部９３が、下壁９１に開口するように穿設して形成されていると、遊技盤２１に植設された障害釘９４，９４が開口部９３に挿通するように配慮しながら誘導部材１９９を遊技盤２１に装着しなければならないが、この切欠部１５７を採用することにより、障害釘９４，９４をあまり気にすることなく誘導部材１９９を遊技盤２１に装着することが可能となる。特に本実施形態の遊技機１のように、誘導装置が特別図柄表示装置６に一体的に設けられている場合には、特別図柄表示装置６自体が大きくなり、このような特別図柄表示装置６を遊技盤２１に装着するには、例えば位置合わせ等の作業がややもすると煩雑になってしまうのであるが、この切欠部１５７を採用することで、そのような不測の事態を招くことなく防止することができる。
【０２２２】
次に特許請求の範囲の構成と、本発明の実施形態との主な対応を説明する。
請求項１：遊技盤は、遊技盤２１に相当し、導入口は、導入口５１に相当し、誘導路は、誘導路５２に相当し、放出口は、放出口５３に相当し、ステージは、第１ステージ６０、第２ステージ７０、第３ステージ８０に相当し、誘導部材は、誘導部材５０、１９１、１９２、１９３、１９４、１９５、１９９に相当し、遊技機は、遊技機１に相当し、誘導装置は、導入口５１、誘導路５２、誘導部材５０、１９１、１９２、１９３、１９４、１９５、１９９に相当し、遊技装置は、始動入賞口（電動チューリップ）１１、１８１、１８２、１８３に相当し、位置規制手段は、嵌合凸部７７、１２１ａ、１２１ｂ、切欠部７９、１５５、１５６、１５７、嵌合凹部１６２、位置決め凸部１６９、１７０に相当する。
【０２２３】
請求項２：位置規制手段は、嵌合凸部７７、１２１ａ、１２１ｂ、切欠部７９、１５５、１５６、１５７、嵌合凹部１６２、位置決め凸部１６９、１７０に相当し、誘導部材は、誘導部材５０、１９１、１９２、１９３、１９４、１９５、１９９に相当し、遊技装置は、始動入賞口（電動チューリップ）１１、１８１、１８２、１８３に相当し、ベース板は、３５、１００、１４２、１４３に相当し、ベース板の所定箇所は、嵌合凹部３６、１０３ａ、１０３ｂ、嵌合凸部１５２、ベース板１４３の上部に相当し、遊技盤は、遊技盤２１に相当する。
【０２２４】
請求項３：遊技盤は、遊技盤２１に相当し、遊技装置は、始動入賞口（電動チューリップ）１８３に相当し、位置規制取付手段は、嵌合凸部１２１ａ、１２１ｂ、始端部１２２ａ、１２２ｂ、終端部１２３ａ、１２３ｂに相当する。
請求項４：ステージは、第１ステージ６０、第２ステージ７０、第３ステージ８０に相当し、遊技装置は、始動入賞口（電動チューリップ）１１、１８１、１８２、１８３に相当し、誘導通路は、段部８５（中央凹面部８１、凹面部８２）に相当し、位置規制手段は、嵌合凸部７７、１２１ａ、１２１ｂ、切欠部７９、１５５、１５６、１５７、嵌合凹部１６２、位置決め凸部１６９、１７０に相当し、遊技装置が位置規制手段により誘導通路に対応する位置に規制されて遊技盤に取り付けられていることは、図４に対する本文中の「始動入賞口（電動チューリップ）１１の左右方向の中央（羽根１１ａ，１１ａ間の中央）と、中央凹面部８１の左右方向の中央とが図４に示す中心線Ｄ−Ｄ上に存在するように、中央凹面部８１に対し始動入賞口（電動チューリップ）１１が、嵌合凸部７７と嵌合凹部３６とにより位置規制され遊技盤２１に極めて高い精度で取り付けられている」という記載に相当する。
【０２２５】
請求項５：遊技機は、遊技機１に相当し、始動入賞口は、始動入賞口（電動チューリップ）１１、１８１、１８２、１８３に相当し、図柄表示装置は、特別図柄表示装置（ＬＣＤ）６に相当し、遊技制御手段は、本文前段の「図示しないマイクロコンピュータ等で構成される遊技制御手段」という記載に相当する。
【０２２６】
請求項６：誘導通路は、段部８５（中央凹面部８１、凹面部８２）に相当し、凹面部は、中央凹面部８１に相当し、始動入賞口は、始動入賞口（電動チューリップ）１１、１８１、１８２、１８３に相当し、位置規制手段は、嵌合凸部７７、１２１ａ、１２１ｂ、切欠部７９、１５５、１５６、１５７、嵌合凹部１６２、位置決め凸部１６９、１７０に相当し、誘導部材５０、１９１、１９２、１９３、１９４、１９５、１９９に相当し、垂直線は、図４に示す中心線Ｄ−Ｄに相当し、遊技盤は、遊技盤２１に相当し、始動入賞口を、位置規制手段により誘導部材に対し、凹面部の左右方向の中央と、始動入賞口の左右方向の中央とが垂直線上に存在する位置に規制されて遊技盤に取り付けるようにしたことは、図４に対する本文中の「始動入賞口（電動チューリップ）１１の左右方向の中央（羽根１１ａ，１１ａ間の中央）と、中央凹面部８１の左右方向の中央とが図４に示す中心線Ｄ−Ｄ上に存在するように、中央凹面部８１に対し始動入賞口（電動チューリップ）１１が、嵌合凸部７７と嵌合凹部３６とにより位置規制され遊技盤２１に極めて高い精度で取り付けられている」という記載に相当する。
【０２２７】
請求項７：誘導通路は、段部８５（中央凹面部８１、凹面部８２）に相当し、凹面部は、中央凹面部８１に相当し、側凹面部は、凹面部８２に相当する。
請求項８：側凹面部は、凹面部８２に相当し、凹面部は、中央凹面部８１に相当し、遊技球導出手段は、凹面部８２を形成するアールＲ１，Ｒ２に相当する。
【０２２８】
請求項９：誘導部材は、誘導部材５０、１９１、１９２、１９３、１９４、１９５、１９９に相当し、遊技盤は、遊技盤２１に相当し、ステージは、第１ステージ６０、第２ステージ７０、第３ステージ８０に相当し、下壁は、下壁９１、１０４、１０６、１０７、１０８、１０９、１１０に相当し、位置規制手段は、嵌合凸部７７、１２１ａ、１２１ｂ、切欠部７９、１５５、１５６、１５７、嵌合凹部１６２、位置決め凸部１６９、１７０に相当し、始動入賞口は、始動入賞口（電動チューリップ）１１、１８１、１８２、１８３に相当し、障害釘は、障害釘９４に相当し、開口部は、開口部９３に相当する。
【０２２９】
請求項１０：誘導部材は、誘導部材５０、１９１、１９２、１９３、１９４、１９５、１９９に相当し、遊技盤は、遊技盤２１に相当し、ステージは、第１ステージ６０、第２ステージ７０、第３ステージ８０に相当し、下壁は、下壁９１、１０４、１０６、１０７、１０８、１０９、１１０に相当し、位置規制手段は、嵌合凸部７７、１２１ａ、１２１ｂ、切欠部７９、１５５、１５６、１５７、嵌合凹部１６２、位置決め凸部１６９、１７０に相当し、切欠部は、切欠部１５７に相当し、始動入賞口は、始動入賞口（電動チューリップ）１１、１８１、１８２、１８３に相当し、障害釘は、障害釘９４に相当し、障害釘植設領域は、植設領域１５９に相当する。
【０２３０】
請求項１１：図柄表示装置は、特別図柄表示装置（ＬＣＤ）６に相当し、遊技盤は、遊技盤２１に相当し、導入口は、導入口５１に相当し、誘導路は、誘導路５２に相当し、放出口は、放出口５３に相当し、誘導部材は、誘導部材５０、１９１、１９２、１９３、１９４、１９５、１９９に相当し、垂直線は、図４に示す中心線Ｄ−Ｄに相当し、導入口、誘導路、放出口及び誘導部材が、遊技盤の略中央に配設される図柄表示装置を周回するように設けられたことは、本文前段の「特別図柄表示装置６には、図柄表示部３０の下半分を周回するように、本発明に係わる遊技球の誘導装置を構成する導入口５１，５１、誘導路５２，５２、誘導部材５０が設けられている」という記載、及び図１４に示す誘導路５２に放出口５３が形成されていることに相当し、導入口、誘導路、放出口及び誘導部材が、遊技盤の略中央に配設される図柄表示装置一体的に設けられたこと及び垂直線に対し対称に設けられたことは、本文中の「遊技機１における遊技球の誘導装置は、導入口５１，５１、誘導路５２，５２、誘導部材５０より構成されて特別図柄表示装置６に上記中心線Ｄ−Ｄに対して互いに対称状に一体的に設けられ」という記載に相当する。
【０２３１】
請求項１２：ステージは、第１ステージ６０、第２ステージ７０、第３ステージ８０に相当し、第１ステージは、第１ステージ６０に相当し、第１ステージの長手方向に稜線を有する勾配が形成された所定部位は、第１スロープ６４、第１斜面６５、第１谷部６６、山部６７、第２谷部６８、第２斜面６９に相当し、放出口は、放出口５３に相当し、第２ステージは、第２ステージ７０に相当し、第３ステージは、第３ステージ８０に相当し、第３ステージの奥行方向の奥側から遊技球を受入れることは、切欠６１と誘導溝５５とで形成する円状空間及び落下溝５７から遊技球を受入れることに相当し、誘導通路は、段部８５（中央凹面部８１、凹面部８２）に相当する。
【０２３２】
請求項１３：ステージは、第１ステージ６０、第２ステージ７０、第３ステージ８０に相当し、ステージの所定位置は、本文中の「第２スロープ７１の前端に、ガイド部材９２，９２が、誘導板７２の左右に、つまり上記中心線Ｄ−Ｄに対して対称状に、誘導板７２を挟むように形成されている」という記載に相当し、落下阻止手段は、ガイド部材９２に相当し、所定位置が遊技者にとって不利にならない位置としたことは、本文中の第１ルート乃至第９ルートの記載に相当する。
【０２３３】
請求項１４：遊技盤は、遊技盤２１に相当し、導入口は、導入口５１に相当し、誘導路は、誘導路５２に相当し、放出口は、放出口５３に相当し、ステージは、第１ステージ６０、第２ステージ７０、第３ステージ８０に相当し、誘導部材は、誘導部材５０、１９１、１９２、１９３、１９４、１９５、１９９に相当し、遊技機は、遊技機１に相当し、誘導装置は、導入口５１、誘導路５２、誘導部材５０、１９１、１９２、１９３、１９４、１９５、１９９に相当し、遊技装置は、始動入賞口（電動チューリップ）１１、１８１、１８２、１８３に相当し、ステージの所定位置は、本文中の「第２スロープ７１の前端に、ガイド部材９２，９２が、誘導板７２の左右に、つまり上記中心線Ｄ−Ｄに対して対称状に、誘導板７２を挟むように形成されている」という記載に相当し、落下阻止手段は、ガイド部材９２に相当し、所定位置が遊技者にとって不利にならない位置としたことは、本文中の第１ルート乃至第９ルートの記載に相当する。
【０２３４】
請求項１５：落下阻止手段は、ガイド部材９２に相当し、ステージは、第１ステージ６０、第２ステージ７０、第３ステージ８０に相当し、突出部材は、スライド片９４、固定片９７に相当し、突出部材が弾性部材で形成されていることは、本文中の「固定片９７及びスライド片９４は、衝突する遊技球を跳ね返すため、その材質は弾性部材にて形成されている」という記載に相当する。
【０２３５】
請求項１６：突出部材は、スライド片９４、固定片９７に相当し、突出部材が左右方向にステージに沿ってスライド自在に設けられていることは、本文中の「スライド片９４を左右方向にスライドさせるには、左右方向につまみ９３を引っ張ると、固定片９７の空洞部９８と、ストッパ９９，９９，９９，９９の丸くなった先端とにより、ストッパ９９，９９，９９，９９が、引っ張る方向に次から次へとレール９１の嵌合溝８９，８９，８９・・・に対し挿脱を繰り返し、その後、つまみ９３を引っ張るのをやめることで、スライド片９４を第２スロープ７１の所望する位置に固定することができる」という記載に相当する。
【図面の簡単な説明】
【図１】本実施形態の遊技機１を示す全体正面図である。
【図２】本実施形態の特別図柄表示装置６を示す正面図である。
【図３】本実施形態の特別図柄表示装置６に設けられる誘導装置の斜視図である。
【図４】本実施形態の誘導部材５０の正面図である。
【図５】本実施形態の誘導部材５０の平面図である。
【図６】本実施形態の誘導部材５０の右側面図である。
【図７】本実施形態の図５におけるＡ−Ａ断面図である。
【図８】本実施形態の図５におけるＨ−Ｈ断面図である。
【図９】本実施形態の図５におけるＢ−Ｂ断面図である。
【図１０】本実施形態の図５におけるＣ−Ｃ断面図である。
【図１１】本実施形態の図５におけるＧ−Ｇ断面図である。
【図１２】本実施形態の段部８５の拡大正面図である。
【図１３】本実施形態の正面から見て左側に設けられたガイド部材９２の構成を説明する分解斜視図である。
【図１４】本実施形態の特別図柄表示装置６の正面から見て左側に設けられた誘導路５２の内部構造を示す正面図である。
【図１５】本実施形態の始動入賞口（電動チューリップ）１１の構造を説明する分解斜視図である。
【図１６】本実施形態の始動入賞口（電動チューリップ）１１の遊技盤２１への取り付け状態を説明する斜視図である。
【図１７】本実施形態の第１ステージ６０、第２ステージ７０、第３ステージ８０の遊技球の流れを説明するため、その一部の構成を省略した誘導部材５０の斜視図である。
【図１８】本実施形態のガイド部材９２，９２に衝突することなく、始動入賞口１１に入賞するときの遊技球の流れを説明するための説明図である。
【図１９】本実施形態のガイド部材９２，９２に衝突することなく、始動入賞口１１に入賞するときの遊技球の流れを説明するための説明図である。
【図２０】本実施形態のガイド部材９２，９２に衝突することなく、始動入賞口１１に入賞するときの遊技球の流れを説明するための説明図である。
【図２１】本実施形態の固定片７６，７６からスライド片７５，７５が張り出したときに、始動入賞口１１に入賞するときの遊技球の流れを説明するための説明図である。
【図２２】本実施形態の図２１に示す遊技球の流れと対応し、固定片７６，７６にスライド片７５，７５が収納されているときに、始動入賞口１１に入賞しないときの遊技球の流れを説明するための説明図である。
【図２３】本実施形態の固定片７６，７６からスライド片７５，７５が張り出したときに、始動入賞口１１に入賞するときの遊技球の流れを説明するための説明図である。
【図２４】本実施形態の図２３に示す遊技球の流れと対応し、固定片７６，７６にスライド片７５，７５が収納されているときに、始動入賞口１１に入賞しないときの遊技球の流れを説明するための説明図である。
【図２５】本実施形態の固定片７６，７６からスライド片７５，７５が張り出したときに、始動入賞口１１に入賞するときの遊技球の流れを説明するための説明図である。
【図２６】本実施形態の図２５に示す遊技球の流れと対応し、固定片７６，７６にスライド片７５，７５が収納されているときに、始動入賞口１１に入賞しないときの遊技球の流れを説明するための説明図である。
【図２７】位置規制手段の他の実施形態を示す始動入賞口（電動チューリップ）１１が取り付けられたときの誘導部材１９１の正面図である。
【図２８】位置規制手段の他の実施形態を示す始動入賞口（電動チューリップ）１８１が取り付けられたときの誘導部材１９２の正面図である。
【図２９】位置規制手段の他の実施形態を示す始動入賞口（電動チューリップ）１８２が取り付けられたときの誘導部材１９３の正面図である。
【図３０】位置規制手段の他の実施形態を示す始動入賞口（電動チューリップ）１８２が取り付けられたときの誘導部材１９４の正面図である。
【図３１】位置規制手段及び取付手段の他の実施形態示す始動入賞口（電動チューリップ）１８３が取り付けられたときの誘導部材１９５の正面図である。
【図３２】（Ａ）（Ｂ）（Ｃ）は、それぞれ始動入賞口（電動チューリップ）１８３を反時計回りに略９０度回転したときの正面図、右側面図、背面図である。
【図３３】（Ａ）は図３２（Ａ）におけるＪ−Ｊ断面図、（Ｂ）は図３２（Ａ）におけるＫ−Ｋ断面図である。
【図３４】（Ａ）は下壁１１０の部分正面図、（Ｂ）は図３４（Ａ）におけるＬ−Ｌ断面図である。
【図３５】位置規制手段及び開口部９３の他の実施形態示す誘導部材１９９の正面図である。
【図３６】位置規制手段及び開口部９３の他の実施形態示す始動入賞口（電動チューリップ）１８２が取り付けられたときの誘導部材１９９の正面図である。
【図３７】従来の遊技機における遊技球の誘導装置を説明するための説明図である。
【符号の説明】
１…遊技機、  ２…打球操作ハンドル、
３…打球誘導レール、  ４…遊技領域形成レール、
５…遊技領域、  ６…特別図柄表示装置（ＬＣＤ）、
７…大入賞口（アタッカ）、  ８…左図柄表示部、
９…中図柄表示部、  １０…右図柄表示部、
１１…始動入賞口（電動チューリップ）、  １１ａ…羽根、
１１ｂ…本体、  １２…打球供給皿、
１３…余剰球受皿、  １４…普通入賞口、
１５…遊技効果ランプ、  １６…アウト口、
１７…ガラス扉枠、  １８…普通図柄表示装置（７セグＬＥＤ）、
１９…普通図柄作動ゲート、  ２０…風車、
２１…遊技盤、  ２２…外枠、
２３…内枠、  ２５…保留ＬＥＤ、
２７…ルータ、  ３０…図柄表示部、
３５…ベース板、  ３６…嵌合凹部、
３７…ビス、  ３８…ビス穴、
３９…駆動装置、  ４０…ソレノイド、
４１…支軸、  ４２…入賞通路、
４３…揺動部材、  ４４…プランジャ、
４５…スプリング、  ４６…支軸、
４７…凹部、  ４８…ピン、
４９…開口部、  ５０…誘導部材、
５１…導入口、  ５２…誘導路、
５３…放出口、    ５５…誘導溝、
５６…奥壁、  ５７…落下溝、
５９…段差、  ６０…第１ステージ、
６１…切欠、  ６２…前壁、
６３…傾斜部、  ６４…第１スロープ、
６５…第１斜面、  ６６…第１谷部、
６７…山部、  ６８…第２谷部、
６９…第２斜面、  ７０…第２ステージ、
７１…第２スロープ、  ７２…誘導板、
７３…レール、  ７４…つまみ、
７５…スライド片、  ７６…固定片、
７７…嵌合凸部、  ７９…切欠部、
８０…第３ステージ、    ８１…中央凹面部、
８２…凹面部、    ８３…第３スロープ、
８４…空間部、    ８５…段部、
８７…中央凸面部、  ８８…凸面部、
８９…嵌合溝、  ９０…山部、
９１…下壁、  ９２…ガイド部材、
９３…開口部、  ９４…障害釘、
９５…落下通路、  ９６ａ、９６ｂ…側壁、
９７…開口部、  ９８…空洞部、
９９…ストッパ、  １００…ベース板、
１０１…つまみ、  １０２ａ、１０２ｂ…溝部、
１０３ａ、１０３ｂ…嵌合凹部、  １０５ａ、１０５ｂ…壁部、
１０４、１０６、１０７、１０８、１０９、１１０…下壁、  １２０…切欠部、
１２１ａ、１２１ｂ…嵌合凸部、  １２２ａ、１２２ｂ…始端部、
１２３ａ、１２３ｂ…終端部、  １３０…ルータ、
１４２、１４３…ベース板、  １５２…嵌合凸部、
１５５、１５６、１５７…切欠部、  １５９…植設領域、
１６０…位置規制領域、  １６２…嵌合凹部、
１６９、１７０…位置決め凸部、
１８１、１８２、１８３…始動入賞口（電動チューリップ）、
１９１、１９２、１９３、１９４、１９５、１９９…誘導部材、
２００…図柄表示装置、  ２０２…導入口、
２０３…誘導路、  ２０４…放出口、
２０５…ステージ、  ２０６…始動入賞口誘導路、
２０７…図柄表示部、  ２０８…始動入賞口（電動チューリップ）、
Ｒ１、Ｒ２…アール、  Ｙ、Ｗ…矢印、
Ａ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐ、Ｑ、Ｓ、Ｔ、Ｕ、Ｖ、Ｘ、Ｚ…矢印、  Ｒ…矢印
【図１】
2004329556.tif 000003
【図２】
2004329556.tif 000004
【図３】
2004329556.tif 000005
【図４】
2004329556.tif 000006
【図５】
2004329556.tif 000007
【図６】
2004329556.tif 000008
【図７】
2004329556.tif 000009
【図８】
2004329556.tif 000010
【図９】
2004329556.tif 000011
【図１０】
2004329556.tif 000012
【図１１】
2004329556.tif 000013
【図１２】
2004329556.tif 000014
【図１３】
2004329556.tif 000015
【図１４】
2004329556.tif 000016
【図１５】
2004329556.tif 000017
【図１６】
2004329556.tif 000018
【図１７】
2004329556.tif 000019
【図１８】
2004329556.tif 000020
【図１９】
2004329556.tif 000021
【図２０】
2004329556.tif 000022
【図２１】
2004329556.tif 000023
【図２２】
2004329556.tif 000024
【図２３】
2004329556.tif 000025
【図２４】
2004329556.tif 000026
【図２５】
2004329556.tif 000027
【図２６】
2004329556.tif 000028
【図２７】
2004329556.tif 000029
【図２８】
2004329556.tif 000030
【図２９】
2004329556.tif 000031
【図３０】
2004329556.tif 000032
【図３１】
2004329556.tif 000033
【図３２】
2004329556.tif 000034
【図３３】
2004329556.tif 000035
【図３４】
2004329556.tif 000036
【図３５】
2004329556.tif 000037
【図３６】
2004329556.tif 000038
【図３７】
2004329556.tif 000039